(57)【特許請求の範囲】
【請求項１】
位相が異なる複数の信号を光信号に変換して伝送し、所望の信号のみを抽出することができる多重伝送装置であって、
所定の周波数ｆｘの主局発信号を出力する信号源と、
前記信号源から出力される前記主局発信号に対して、所定の時間遅延τｘを与えて、第１の副局発信号として出力する第１の遅延制御部と、
前記信号源から出力される前記主局発信号を、波長λ１の第１の光信号に変換し、出力する第１の光送信部と、
前記第１の遅延制御部から出力される前記第１の副局発信号を、波長λ２の第２の光信号に変換し、出力する第２の光送信部と、
前記第１の光送信部から出力される前記第１の光信号と、前記第２の光送信部から出力される前記第２の光信号とを合波し、出力する第１の光合波部と、
前記第１の光合波部から出力される光信号を伝送する第１の光伝送路と、
前記第１の光伝送路によって伝送される光信号を波長毎に分離し、前記第１および第２の光信号を、それぞれ出力する光分波部と、
所定の周波数ｆａの第１の主要素信号と、所定の周波数ｆｂの第２の主要素信号とを合波し、主信号群として出力する第１の合波部と、
前記第１の主要素信号に所定の時間遅延τａが与えられた第１の副要素信号と、前記第２の主要素信号に所定の時間遅延τｂが与えられた第２の副要素信号とを合波し、第１の副信号群として出力する第２の合波部と、
前記第１の合波部から出力される前記主信号群によって、前記光分波部から出力される前記第１の光信号を変調し、出力する第１の光変調部と、
前記第２の合波部から出力される前記第１の副信号群によって、前記光分波部から出力される前記第２の光信号を変調し、出力する第２の光変調部と、
前記第１の光変調部から出力される前記第１の光信号と、前記第２の光変調部から出力される前記第２の光信号とを合波し、出力する第２の光合波部と、
前記第２の光合波部から出力される光信号を伝送する第２の光伝送路と、
前記第２の光伝送路によって伝送される光信号を自乗検波し、前記第１の主要素信号および副要素信号、または前記第２の主要素信号および副要素信号のいずれか一方に一意に対応する信号を出力する光受信部とを備える、多重伝送装置。
【請求項２】
前記信号源から出力される前記主局発信号に対して、他とは異なる時間遅延を与えて、第２の副局発信号として出力する１つ以上の第２の遅延制御部と、
対応する前記第２の遅延制御部から出力される前記第２の副局発信号を、他とは異なる波長の第３の光信号に変換し出力する１つ以上の第３の光送信部と、
前記第１の主要素信号に対して他とは異なる時間遅延が与えられた第３の副要素信号と、前記第２の主要素信号に対して他とは異なる時間遅延が与えられた第４の副要素信号とを合波し、第２の副信号群として出力する１つ以上の第３の合波部と、
対応する前記第３の合波部から出力される前記第２の副信号群によって、前記光分波部から出力される前記第３の光信号を変調し、出力する１つ以上の第３の光変調部とをさらに備え、
前記第１の光合波部は、前記第１の光送信部から出力される前記第１の光信号と、前記第２の光送信部から出力される前記第２の光信号と、さらに１つ以上の前記第３の光送信部から出力される前記第３の光信号とを合波して出力し、
前記光分波部は、前記第１の光伝送路によって伝送される光信号を波長毎に分離し、前記第１および第２の光信号と、さらに１つ以上の前記第３の光信号とをそれぞれ出力し、
前記第２の光合波部は、前記第１の光変調部から出力される前記第１の光信号と、前記第２の光変調部から出力される前記第２の光信号と、さらに１つ以上の前記第３の光変調部から出力される前記第３の光信号とを合波して出力し、
前記光受信部は、前記第２の光伝送路によって伝送される光信号を自乗検波し、前記第１の主要素信号（および第１および第３の副要素信号）、または前記第２の主要素信号（および第２および第４の副要素信号）のいずれか１つに一意に対応する信号を出力することを特徴とする、請求項１に記載の多重伝送装置。
【請求項３】
前記第１の遅延制御部は、前記所定の時間遅延τｘが、前記第１または第２の主要素信号に対する前記第１または第２の副要素信号の時間遅延τａまたはτｂのいずれか一方に等しくなるように設定され、
前記光受信部は、前記第１の主要素信号および副要素信号を周波数│ｆｘ−ｆａ│に変換した信号、または前記第２の主要素信号および副要素信号を周波数│ｆｘ−ｆｂ│に変換した信号のいずれか一方を出力することを特徴とする、請求項１に記載の多重伝送装置。
【請求項４】
前記第１の主要素信号および副要素信号の周波数ｆａと、前記第２の主要素信号および副要素信号の周波数ｆｂとは、一致することを特徴とする、請求項３に記載の多重伝送装置。
【請求項５】
前記信号源は、前記所定の周波数ｆｘが、前記第１の主要素信号および副要素信号の周波数ｆａ（または前記第２の主要素信号および副要素信号の周波数ｆｂ）の２倍になるように設定され、
前記光受信部は、前記第１の主要素信号および副要素信号に対応する周波数ｆａの信号、または前記第２の主要素信号および副要素信号に対応する周波数ｆｂの信号のいずれか一方を出力することを特徴とする、請求項４に記載の多重伝送装置。
【請求項６】
前記第１および第２の主要素信号および副要素信号は、いずれも角度変調信号であることを特徴とする、請求項３に記載の多重伝送装置。
【請求項７】
前記第１および第２の主要素信号および副要素信号は、いずれも振幅シフトキーイング（ＡＳＫ：Ａｍｐｌｉｔｕｄｅ  Ｓｈｉｆｔ  Ｋｅｙｉｎｇ）変調信号であって、
前記信号源は、前記所定の周波数ｆｘが、前記第１の主要素信号および副要素信号の周波数ｆａまたは前記第２の主要素信号および副要素信号の周波数ｆｂのいずれか一方に等しくなるように設定され、
前記光受信部は、前記第１または第２の主要素信号および副要素信号のいずれか一方を復調して、対応するベースバンド信号を出力することを特徴とする、請求項３に記載の多重伝送装置。
【請求項８】
前記第１の遅延制御部は、前記所定の時間遅延τｘが、前記第１または第２の主要素信号に対する前記第１または第２の副要素信号の時間遅延τａまたはτｂのいずれか一方と同量かつ逆符号になるように設定され、
前記光受信部は、前記第１の主要素信号および副要素信号を周波数ｆｘ＋ｆａに変換した信号、または前記第２の主要素信号および副要素信号を周波数ｆｘ＋ｆｂに変換した信号のいずれか一方を出力することを特徴とする、請求項１に記載の多重伝送装置。
【請求項９】
前記信号源は、所定の逆拡散符号Ｃｘを元信号とした周波数ｆｘの変調信号を出力し、
前記第１の主要素信号および副要素信号は、ベースバンド信号Ｄａを所定の拡散符号Ｃａによってスペクトル拡散した変調信号であり、
前記第２の主要素信号および副要素信号は、ベースバンド信号Ｄｂを所定の拡散符号Ｃｂによってスペクトル拡散した変調信号であることを特徴とする、請求項１に記載の多重伝送装置。
【請求項１０】
前記信号源は、所定の逆拡散符号Ｃｘが、前記第１の主要素信号および副要素信号の拡散符号Ｃａまたは前記第２の主要素信号および副要素信号の拡散符号Ｃｂに対する逆拡散符号に設定され、
前記第１の遅延制御部は、前記所定の時間遅延τｘが、前記第１または第２の主要素信号に対する前記第１または第２の副要素信号の時間遅延τａまたはτｂのいずれか一方に等しくなるように設定され、
前記光受信部は、前記第１の主要素信号および副要素信号をスペクトル逆拡散し、周波数│ｆｘ−ｆａ│に変換した信号、または前記第２の主要素信号および副要素信号をスペクトル逆拡散し、周波数│ｆｘ−ｆｂ│に変換した信号のいずれか一方を出力することを特徴とする、請求項９に記載の多重伝送装置。
【請求項１１】
前記第１の主要素信号および副要素信号の周波数ｆａと、前記第２の主要素信号および副要素信号の周波数ｆｂとは、一致することを特徴とする請求項１０に記載の多重伝送装置。
【請求項１２】
前記信号源は、前記所定の周波数ｆｘが、前記第１の主要素信号および副要素信号の周波数ｆａ（または前記第２の主要素信号および副要素信号の周波数ｆｂ）の２倍になるように設定され、
前記光受信部は、前記第１の主要素信号および副要素信号をスペクトル逆拡散した周波数ｆａの信号、または前記第２の主要素信号および副要素信号をスペクトル逆拡散した周波数ｆｂの信号のいずれか一方を出力することを特徴とする、請求項１１に記載の多重伝送装置。
【請求項１３】
前記信号源は、所定の逆拡散符号Ｃｘが、前記第１の主要素信号および副要素信号の拡散符号Ｃａまたは前記第２の主要素信号および副要素信号の拡散符号Ｃｂに対する逆拡散符号に設定され、
前記第１の遅延制御部は、前記所定の時間遅延τｘが、前記第１または第２の主要素信号に対する前記第１または第２の副要素信号の時間遅延τａまたはτｂのいずれか一方と同量かつ逆符号になるように設定され、
前記光受信部は、前記第１の主要素信号および副要素信号をスペクトル逆拡散し、周波数ｆｘ＋ｆａに変換した信号、または前記第２の主要素信号および副要素信号をスペクトル逆拡散し、周波数ｆｘ＋ｆｂに変換した信号のいずれか一方を出力することを特徴とする、請求項９に記載の多重伝送装置。
【請求項１４】
位相が異なる複数の信号を光信号に変換して伝送し、所望の信号を同時に抽出することができる多重伝送装置であって、
所定の周波数ｆｘの第１の主局発信号を出力する第１の信号源と、
所定の周波数ｆｙの第２の主局発信号を出力する第２の信号源と、
前記第１の信号源から出力される前記第１の主局発信号に対して、所定の時間遅延τｘを与えて、第１の副局発信号として出力する第１の遅延制御部と、
前記第２の信号源から出力される前記第２の主局発信号に対して、所定の時間遅延τｙを与えて、第２の副局発信号として出力する第２の遅延制御部と、
前記第１の信号源から出力される前記第１の主局発信号と、前記第２の信号源から出力される前記第２の主局発信号とを合波し、主局発信号群として出力する第３の合波部と、
前記第１の遅延制御部から出力される前記第１の副局発信号と、前記第２の遅延制御部から出力される前記第２の副局発信号とを合波し、第１の副局発信号群として出力する第４の合波部と、
前記第３の合波部から出力される前記主局発信号群を、波長λ１の第１の光信号に変換し、出力する第１の光送信部と、
前記第４の合波部から出力される前記第１の副局発信号群を、波長λ２の第２の光信号に変換し、出力する第２の光送信部と、
前記第１の光送信部から出力される前記第１の光信号と、前記第２の光送信部から出力される前記第２の光信号とを合波し、出力する第１の光合波部と、
前記第１の光合波部から出力される光信号を伝送する第１の光伝送路と、
前記第１の光伝送路によって伝送される光信号を波長毎に分離し、前記第１および第２の光信号を、それぞれ出力する光分波部と、
所定の周波数ｆａの第１の主要素信号と、所定の周波数ｆｂの第２の主要素信号とを合波し、主信号群として出力する第１の合波部と、
前記第１の主要素信号に所定の時間遅延τａが与えられた第１の副要素信号と、前記第２の主要素信号に所定の時間遅延τｂが与えられた第２の副要素信号とを合波し、第１の副信号群として出力する第２の合波部と、
前記第１の合波部から出力される前記主信号群によって、前記光分波部から出力される前記第１の光信号を変調し、出力する第１の光変調部と、
前記第２の合波部から出力される前記第１の副信号群によって、前記光分波部から出力される前記第２の光信号を変調し、出力する第２の光変調部と、
前記第１の光変調部から出力される前記第１の光信号と、前記第２の光変調部から出力される前記第２の光信号とを合波し、出力する第２の光合波部と、
前記第２の光合波部から出力される光信号を伝送する第２の光伝送路と、
前記第２の光伝送路によって伝送される光信号を自乗検波し、前記第１の主要素信号および副要素信号と、前記第２の主要素信号および副要素信号との双方に一意に対応する信号を出力する光受信部と、
前記光受信部から出力される信号を、前記第１の主要素信号および副要素信号と、前記第２の主要素信号および副要素信号とのそれぞれに一意に対応する各信号成分のみを透過するように分離し、出力する透過部とを備える、多重伝送装置。
【請求項１５】
所定の周波数を有する第３の主局発信号を出力する１つ以上の第３の信号源と、
対応する前記第３の信号源から出力される前記第３の主局発信号に対して、他とは異なる時間遅延を与えて、第３の副局発信号として出力する１つ以上の第３の遅延制御部とをさらに備え、
前記第３の合波部は、前記第１の信号源から出力される前記第１の主局発信号と、前記第２の信号源から出力される前記第２の主局発信号と、さらに１つ以上の前記第３の信号源から出力される前記第３の主局発信号とを合波し、主局発信号群として出力し、
前記第４の合波部は、前記第１の遅延制御部から出力される前記第１の副局発信号と、前記第２の遅延制御部から出力される前記第２の副局発信号と、さらに１つ以上の前記第３の遅延制御部から出力される前記第３の副局発信号とを合波し、第１の副局発信号群として出力し、
前記第１の合波部は、所定の周波数ｆａの第１の主要素信号と、所定の周波数ｆｂの第２の主要素信号と、さらに所定の周波数を有する１つ以上の第３の主要素信号とを合波し、主信号群として出力し、
前記第２の合波部は、前記第１の主要素信号に所定の時間遅延τａが与えられた第１の副要素信号と、前記第２の主要素信号に所定の時間遅延τｂが与えられた第２の副要素信号と、さらに対応する前記第３の主要素信号に他とは異なる所定の時間遅延が与えられた１つ以上の第３の副要素信号とを合波し、第１の副信号群として出力し、
前記光受信部は、前記第２の光伝送路によって伝送される光信号を自乗検波し、前記第１の主要素信号および副要素信号と、前記第２の主要素信号および副要素信号と、１つ以上の前記第３の主要素信号および副要素信号とに一意に対応する信号を出力し、
前記透過部は、前記光受信部から出力される信号を、前記第１の主要素信号および副要素信号と、前記第２の主要素信号および副要素信号と、１つ以上の前記第３の主要素信号および副要素信号とのそれぞれに一意に対応する各信号成分のみを透過するように分離し、出力することを特徴とする、請求項１４に記載の多重伝送装置。
【請求項１６】
前記第１の信号源から出力される前記第１の主局発信号に対して、他とは異なる時間遅延を与えて、第３の副局発信号として出力する１つ以上の第３の遅延制御部と、
前記第２の信号源から出力される前記第２の主局発信号に対して、他とは異なる時間遅延を与えて、第４の副局発信号として出力する１つ以上の第４の遅延制御部と、
対応する前記第３の遅延制御部から出力される前記第３の副局発信号と、対応する前記第４の遅延制御部から出力される第４の副局発信号とを合波し、第２の副局発信号群として出力する１つ以上の第５の合波部と、
対応する前記第５の合波部から出力される前記第２の副局発信号群を、他とは異なる波長の第３の光信号に変換し出力する１つ以上の第３の光送信部と、
前記第１の主要素信号に対して他とは異なる時間遅延が与えられた第３の副要素信号と、前記第２の主要素信号に対して他とは異なる時間遅延が与えられた第４の副要素信号とを合波し、第２の副信号群として出力する１つ以上の第６の合波部と、
対応する前記第６の合波部から出力される前記第２の副信号群によって、前記光分波部から出力される前記第３の光信号を変調し、出力する１つ以上の第３の光変調部とをさらに備え、
前記第１の光合波部は、前記第１の光送信部から出力される前記第１の光信号と、前記第２の光送信部から出力される前記第２の光信号と、さらに１つ以上の前記第３の光送信部から出力される前記第３の光信号とを合波して出力し、
前記光分波部は、前記第１の光伝送路によって伝送される光信号を波長毎に分離し、前記第１および第２の光信号と、さらに１つ以上の第３の光信号とをそれぞれ出力し、
前記第２の光合波部は、前記第１の光変調部から出力される前記第１の光信号と、前記第２の光変調部から出力される前記第２の光信号と、さらに１つ以上の前記第３の光変調部から出力される前記第３の光信号とを合波して出力し、
前記光受信部は、前記第２の光伝送路によって伝送される光信号を自乗検波し、前記第１の主要素信号（および第１および第３の副要素信号）と、前記第２の主要素信号（および第２および第４の副要素信号）とのそれぞれに一意に対応する信号を出力し、
前記透過部は、前記光受信部から出力される信号を、前記第１の主要素信号（および第１および第３の副要素信号）と、前記第２の主要素信号（および第２および第４の副要素信号）とのそれぞれに一意に対応する各信号成分のみを透過するように分離し、出力することを特徴とする、請求項１４に記載の多重伝送装置。
【請求項１７】
前記第１の遅延制御部は、前記所定の時間遅延τｘが、前記第１の主要素信号に対する前記第１の副要素信号の時間遅延τａに等しくなるように設定され、
前記第２の遅延制御部は、前記所定の時間遅延τｙが、前記第２の主要素信号に対する前記第２の副要素信号の時間遅延τｂに等しくなるように設定され、
前記光受信部は、前記第１の主要素信号および副要素信号を周波数│ｆｘ−ｆａ│に変換した信号と、前記第２の主要素信号および副要素信号を周波数│ｆｘ−ｆｂ│に変換した信号とを含む信号を出力することを特徴とする、請求項１４に記載の多重伝送装置。
【請求項１８】
前記第１の主要素信号および副要素信号の周波数ｆａと、前記第２の主要素信号および副要素信号の周波数ｆｂとは、一致することを特徴とする、請求項１７に記載の多重伝送装置。
【請求項１９】
前記第１および第２の主要素信号および副要素信号は、いずれも角度変調信号であることを特徴とする、請求項１７に記載の多重伝送装置。
【請求項２０】
前記第１の遅延制御部は、前記所定の時間遅延τｘが、前記第１の主要素信号に対する前記第１の副要素信号の時間遅延τａとは同量かつ逆符号になるように設定され、
前記第２の遅延制御部は、前記所定の時間遅延τｙが、前記第２の主要素信号に対する前記第２の副要素信号の時間遅延τｂと同量かつ逆符号になるように設定され、
前記光受信部は、前記第１の主要素信号および副要素信号を周波数ｆｘ＋ｆａに変換した信号と、前記第２の主要素信号および副要素信号を周波数ｆｘ＋ｆｂに変換した信号とを含む信号を出力することを特徴とする、請求項１４に記載の多重伝送装置。
【請求項２１】
前記第１の信号源は、所定の逆拡散符号Ｃｘを元信号とした周波数ｆｘの変調信号を出力し、
前記第２の信号源は、所定の逆拡散符号Ｃｙを元信号とした周波数ｆｙの変調信号を出力し、
前記第１の主要素信号および副要素信号は、ベースバンド信号Ｄａを所定の拡散符号Ｃａによってスペクトル拡散した変調信号であり、
前記第２の主要素信号および副要素信号は、ベースバンド信号Ｄｂを所定の拡散符号Ｃｂによってスペクトル拡散した変調信号であることを特徴とする、請求項１４に記載の多重伝送装置。
【請求項２２】
前記第１の信号源は、所定の逆拡散符号Ｃｘが、前記第１の主要素信号および副要素信号の拡散符号Ｃａに対する逆拡散符号に設定され、前記第２の信号源は、所定の逆拡散符号Ｃｘが、前記第２の主要素信号および副要素信号の拡散符号Ｃｂに対する逆拡散符号に設定され、
前記第１の遅延制御部は、前記所定の時間遅延τｘが、前記第１の主要素信号に対する前記第１の副要素信号の時間遅延τａに等しくなるように設定され、
前記第２の遅延制御部は、前記所定の時間遅延τｙが、前記第２の主要素信号に対する前記第２の副要素信号の時間遅延τｂに等しくなるように設定され、
前記光受信部は、前記第１の主要素信号および副要素信号をスペクトル逆拡散し、周波数│ｆｘ−ｆａ│に変換した信号と、前記第２の主要素信号および副要素信号をスペクトル逆拡散し、周波数│ｆｘ−ｆｂ│に変換した信号との双方を含む信号を出力することを特徴とする、請求項２１に記載の多重伝送装置。
【請求項２３】
前記第１の主要素信号および副要素信号の周波数ｆａと、前記第２の主要素信号および副要素信号の周波数ｆｂとは、一致することを特徴とする、請求項２２に記載の多重伝送装置。
【請求項２４】
前記拡散符号Ｃａと前記拡散符号Ｃｂとは、一致することを特徴とする、請求項２２に記載の多重伝送装置。
【請求項２５】
前記第１の信号源は、所定の逆拡散符号Ｃｘが、前記第１の主要素信号および副要素信号の拡散符号Ｃａに対する逆拡散符号に設定され、前記第２の信号源は、所定の逆拡散符号Ｃｘが、前記第２の主要素信号および副要素信号の拡散符号Ｃｂに対する逆拡散符号に設定され、
前記第１の遅延制御部は、前記所定の時間遅延τｘが、前記第１の主要素信号に対する前記第１の副要素信号の時間遅延τａとは同量かつ逆符号になるように設定され、
前記第２の遅延制御部は、前記所定の時間遅延τｙが、前記第２の主要素信号に対する前記第２の副要素信号の時間遅延τｂとは同量かつ逆符号になるように設定され、
前記光受信部は、前記第１の主要素信号および副要素信号をスペクトル逆拡散し、周波数ｆｘ＋ｆａに変換した信号と、前記第２の主要素信号および副要素信号をスペクトル逆拡散し、周波数ｆｘ＋ｆｂに変換した信号との双方を含む信号を出力することを特徴とする、請求項２１に記載の多重伝送装置。
【請求項２６】
位相が異なる複数の信号を光信号に変換して伝送し、所望の信号のみを抽出することができる多重伝送装置であって、
所定の周波数ｆｘの主局発信号を出力する信号源と、
前記信号源から出力される前記主局発信号に対して、所定の時間遅延τｘを与えて、第１の副局発信号として出力する第１の遅延制御部と、
前記信号源から出力される前記主局発信号を、波長λ１の第１の光信号に変換し、出力する第１の光送信部と、
前記第１の遅延制御部から出力される前記第１の副局発信号を、波長λ２の第２の光信号に変換し、出力する第２の光送信部と、
前記第１の光送信部から出力される前記第１の光信号と、前記第２の光送信部から出力される前記第２の光信号とを合波し、出力する第１の光合波部と、
第１の端子に入力される光信号を透過して、第２の端子から出力すると共に、前記第２の端子に入力される光信号を透過して、第３の端子から出力する性質を有し、前記第１の端子に接続される前記光合波部から出力される光信号を透過し、前記第２の端子から出力する第１の光合分波部と、
前記第１の光合分波部における前記第２の端子に接続されて、光信号を双方向に伝送する光伝送路と、
第４の端子に入力される光信号を波長毎に分離し、それぞれ第５および第６の端子から出力すると共に、前記第５および第６の端子に入力される光信号を合波し、前記第４の端子から出力する性質を有し、前記第４の端子に接続される前記光伝送路を介して前記第１の光合分波部における前記第２の端子から出力される光信号を波長毎に分離し、前記第１の光信号を前記第５の端子から出力し、前記第２の光信号を前記第６の端子から出力する第２の光合分波部と、
所定の周波数ｆａの第１の主要素信号と、所定の周波数ｆｂの第２の主要素信号とを合波し、主信号群として出力する第１の合波部と、
前記第１の主要素信号に所定の時間遅延τａが与えられた第１の副要素信号と、前記第２の主要素信号に所定の時間遅延τｂが与えられた第２の副要素信号とを合波し、第１の副信号群として出力する第２の合波部と、
前記第１の合波部から出力される前記主信号群によって、前記第２の光合分波部における前記第５の端子から出力される前記第１の光信号を変調すると共に、これを反射し、前記第２の光合分波部における前記第５の端子に入力する第１の光変調部と、
前記第２の合波部から出力される前記第１の副信号群によって、前記第２の光合分波部における前記第６の端子から出力される前記第２の光信号を変調すると共に、これを反射し、前記第２の光合分波部における前記第６の端子に入力する第２の光変調部と、
前記第１の光合分波部における前記第３の端子から出力される光信号を自乗検波し、前記第１の主要素信号および副要素信号、または前記第２の主要素信号および副要素信号のいずれか一方に一意に対応する信号を出力する光受信部とを備える、多重伝送装置。
【請求項２７】
位相が異なる複数の信号を光信号に変換して伝送し、所望の信号のみを抽出することができる多重伝送装置であって、
所定の周波数ｆａの第１の主要素信号と、所定の周波数ｆｂの第２の主要素信号とを合波し、主信号群として出力する第１の合波部と、
前記第１の主要素信号に所定の時間遅延τａが与えられた第１の副要素信号と、前記第２の主要素信号に所定の時間遅延τｂが与えられた第２の副要素信号とを合波し、第１の副信号群として出力する第２の合波部と、
前記第１の合波部から出力される前記主信号群を、波長λ１の第１の光信号に変換し、出力する第１の光送信部と、
前記第２の合波部から出力される前記第１の副信号群を、波長λ２の第２の光信号に変換し、出力する第２の光送信部と、
前記第１の光送信部から出力される前記第１の光信号と、前記第２の光送信部から出力される前記第２の光信号とを合波し、出力する第１の光合波部と、
前記第１の光合波部から出力される光信号を伝送する光伝送路と、
前記光伝送路によって伝送される光信号を波長毎に分離し、前記第１および第２の光信号を、それぞれ出力する光分波部と、
所定の周波数ｆｘの主局発信号を出力する信号源と、
前記信号源から出力される前記主局発信号に対して、所定の時間遅延τｘを与えて、第１の副局発信号として出力する第１の遅延制御部と、
前記信号源から出力される前記主局発信号によって、前記光分波部から出力される前記第１の光信号を変調し、出力する第１の光変調部と、
前記第１の遅延制御部から出力される前記第１の副局発信号によって、前記光分波部から出力される前記第２の光信号を変調し、出力する第２の光変調部と、
前記第１の光変調部から出力される前記第１の光信号と、前記第２の光変調部から出力される前記第２の光信号とを合波し、出力する第２の光合波部と、
前記第２の光合波部から出力される光信号を自乗検波し、前記第１の主要素信号および副要素信号、または前記第２の主要素信号および副要素信号のいずれか一方に一意に対応する信号を出力する光受信部とを備える、多重伝送装置。
【請求項２８】
前記第１の主要素信号に対して他とは異なる時間遅延が与えられた第３の副要素信号と、前記第２の主要素信号に対して他とは異なる時間遅延が与えられた第４の副要素信号とを合波し、第２の副信号群として出力する１つ以上の第３の合波部と、
対応する前記第３の合波部から出力される前記第２の副信号群を、他とは異なる波長の第３の光信号に変換し出力する１つ以上の第３の光送信部と、
前記信号源から出力される前記主局発信号に対して、他とは異なる時間遅延を与えて、第２の副局発信号として出力する１つ以上の第２の遅延制御部と、
対応する前記第２の遅延制御部から出力される前記第２の副局発信号によって、前記光分波部から出力される前記第３の光信号を変調し、出力する１つ以上の第３の光変調部とをさらに備え、
前記第１の光合波部は、前記第１の光送信部から出力される前記第１の光信号と、前記第２の光送信部から出力される前記第２の光信号と、さらに１つ以上の前記第３の光送信部から出力される前記第３の光信号とを合波して出力し、
前記光分波部は、前記光伝送路によって伝送される光信号を波長毎に分離し、前記第１および第２の光信号と、さらに１つ以上の前記第３の光信号とをそれぞれ出力し、
前記第２の光合波部は、前記第１の光変調部から出力される前記第１の光信号と、前記第２の光変調部から出力される前記第２の光信号と、さらに１つ以上の前記第３の光変調部から出力される前記第３の光信号とを合波して出力し、
前記光受信部は、前記第２の光合波部から出力される信号を自乗検波し、前記第１の主要素信号（および第１および第３の副要素信号）、または前記第２の主要素信号（および第２および第４の副要素信号）のいずれか１つに一意に対応する信号を出力することを特徴とする、請求項２７に記載の多重伝送装置。
【請求項２９】
前記信号源は、所定の逆拡散符号Ｃｘを元信号とした周波数ｆｘの変調信号を出力し、
前記第１の主要素信号および副要素信号は、ベースバンド信号Ｄａを所定の拡散符号Ｃａによってスペクトル拡散した変調信号であり、
前記第２の主要素信号および副要素信号は、ベースバンド信号Ｄｂを所定の拡散符号Ｃｂによってスペクトル拡散した変調信号であることを特徴とする、請求項２７に記載の多重伝送装置。
【請求項３０】
位相が異なる複数の信号を光信号に変換して伝送し、所望の信号を同時に抽出することができる多重伝送装置であって、
所定の周波数ｆａの第１の主要素信号と、所定の周波数ｆｂの第２の主要素信号とを合波し、主信号群として出力する第１の合波部と、
前記第１の主要素信号に所定の時間遅延τａが与えられた第１の副要素信号と、前記第２の主要素信号に所定の時間遅延τｂが与えられた第２の副要素信号とを合波し、第１の副信号群として出力する第２の合波部と、
前記第１の合波部から出力される前記主信号群を、波長λ１の第１の光信号に変換し、出力する第１の光送信部と、
前記第２の合波部から出力される前記第１の副信号群を、波長λ２の第２の光信号に変換し、出力する第２の光送信部と、
前記第１の光送信部から出力される前記第１の光信号と、前記第２の光送信部から出力される前記第２の光信号とを合波し、出力する第１の光合波部と、
前記第１の光合波部から出力される光信号を伝送する光伝送路と、
前記光伝送路によって伝送される光信号を波長毎に分離し、前記第１および第２の光信号を、それぞれ出力する光分波部と、
所定の周波数ｆｘの第１の主局発信号を出力する第１の信号源と、
所定の周波数ｆｙの第２の主局発信号を出力する第２の信号源と、
前記第１の信号源から出力される前記第１の主局発信号に対して、所定の時間遅延τｘを与えて、第１の副局発信号として出力する第１の遅延制御部と、
前記第２の信号源から出力される前記第２の主局発信号に対して、所定の時間遅延τｙを与えて、第２の副局発信号として出力する第２の遅延制御部と、
前記第１の信号源から出力される前記第１の主局発信号と、前記第２の信号源から出力される前記第２の主局発信号とを合波し、主局発信号群として出力する第３の合波部と、
前記第１の遅延制御部から出力される前記第１の副局発信号と、前記第２の遅延制御部から出力される前記第２の副局発信号とを合波し、第１の副局発信号群として出力する第４の合波部と、
前記第３の合波部から出力される前記主局発信号群によって、前記光分波部から出力される前記第１の光信号を変調し、出力する第１の光変調部と、
前記第４の合波部から出力される前記第１の副局発信号群によって、前記光分波部から出力される前記第２の光信号を変調し、出力する第２の光変調部と、
前記第１の光変調部から出力される前記第１の光信号と、前記第２の光変調部から出力される前記第２の光信号とを合波し、出力する第２の光合波部と、
前記第２の光合波部から出力される光信号を自乗検波し、前記第１の主要素信号および副要素信号と、前記第２の主要素信号および副要素信号との双方に一意に対応する信号を出力する光受信部と、
前記光受信部から出力される信号を、前記第１の主要素信号および副要素信号と、前記第２の主要素信号および副要素信号とのそれぞれに一意に対応する各信号成分のみを透過するように分離し、出力する透過部とを備える、多重伝送装置。
【請求項３１】
所定の周波数を有する第３の主局発信号を出力する１つ以上の第３の信号源と、
対応する前記第３の信号源から出力される前記第３の主局発信号に対して、他とは異なる時間遅延を与えて、第３の副局発信号として出力する１つ以上の第３の遅延制御部とをさらに備え、
前記第１の合波部は、所定の周波数ｆａの第１の主要素信号と、所定の周波数ｆｂの第２の主要素信号と、さらに所定の周波数を有する１つ以上の第３の主要素信号とを合波し、主信号群として出力し、
前記第２の合波部は、前記第１の主要素信号に所定の時間遅延τａが与えられた第１の副要素信号と、前記第２の主要素信号に所定の時間遅延τｂが与えられた第２の副要素信号と、さらに対応する前記第３の主要素信号に他とは異なる所定の時間遅延が与えられた１つ以上の第３の副要素信号とを合波し、第１の副信号群として出力し、
前記第３の合波部は、前記第１の信号源から出力される前記第１の主局発信号と、前記第２の信号源から出力される前記第２の主局発信号と、さらに１つ以上の前記第３の信号源から出力される前記第３の主局発信号とを合波し、主局発信号群として出力し、
前記第４の合波部は、前記第１の遅延制御部から出力される前記第１の副局発信号と、前記第２の遅延制御部から出力される前記第２の副局発信号と、さらに１つ以上の前記第３の遅延制御部から出力される前記第３の副局発信号とを合波し、第１の副局発信号群として出力し、
前記光受信部は、前記第２の光合波部から出力される光信号を自乗検波し、前記第１の主要素信号および副要素信号と、前記第２の主要素信号および副要素信号と、１つ以上の前記第３の主要素信号および副要素信号とに一意に対応する信号を出力し、
前記透過部は、前記光受信部から出力される信号を、前記第１の主要素信号および副要素信号と、前記第２の主要素信号および副要素信号と、１つ以上の前記第３の主要素信号および副要素信号とのそれぞれに一意に対応する各信号成分のみを透過するように分離し、出力することを特徴とする、請求項３０に記載の多重伝送装置。
【請求項３２】
前記第１の主要素信号に対して他とは異なる時間遅延が与えられた第３の副要素信号と、前記第２の主要素信号に対して他とは異なる時間遅延が与えられた第４の副要素信号とを合波し、第２の副信号群として出力する１つ以上の第６の合波部と、
対応する前記第６の合波部から出力される前記第２の副信号群を、他とは異なる波長の第３の光信号に変換し出力する１つ以上の第３の光送信部と、
前記第１の信号源から出力される前記第１の主局発信号に対して、他とは異なる時間遅延を与えて、第３の副局発信号として出力する１つ以上の第３の遅延制御部と、
前記第２の信号源から出力される前記第２の主局発信号に対して、他とは異なる時間遅延を与えて、第４の副局発信号として出力する１つ以上の第４の遅延制御部と、
対応する前記第３の遅延制御部から出力される前記第３の副局発信号と、対応する前記第４の遅延制御部から出力される第４の副局発信号とを合波し、第２の副局発信号群として出力する１つ以上の第５の合波部と、
対応する前記第５の合波部から出力される前記第２の副局発信号群によって、前記光分波部から出力される前記第３の光信号を変調し、出力する１つ以上の第３の光変調部とをさらに備え、
前記第１の光合波部は、前記第１の光送信部から出力される前記第１の光信号と、前記第２の光送信部から出力される前記第２の光信号と、さらに１つ以上の前記第３の光送信部から出力される前記第３の光信号とを合波して出力し、
前記光分波部は、前記光伝送路によって伝送される光信号を波長毎に分離し、前記第１および第２の光信号と、さらに１つ以上の第３の光信号とをそれぞれ出力し、
前記第２の光合波部は、前記第１の光変調部から出力される前記第１の光信号と、前記第２の光変調部から出力される前記第２の光信号と、さらに１つ以上の前記第３の光変調部から出力される前記第３の光信号とを合波して出力し、
前記光受信部は、前記第２の光合波部から出力される光信号を自乗検波し、前記第１の主要素信号（および第１および第３の副要素信号）と、前記第２の主要素信号（および第２および第４の副要素信号）とのそれぞれに一意に対応する信号を出力し、
前記透過部は、前記光受信部から出力される信号を、前記第１の主要素信号（および第１および第３の副要素信号）と、前記第２の主要素信号（および第２および第４の副要素信号）とのそれぞれに一意に対応する各信号成分のみを透過するように分離し、出力することを特徴とする、請求項３０に記載の多重伝送装置。
【請求項３３】
位相が異なる複数の信号を光信号に変換して伝送し、所望の信号を抽出することができる多重伝送方法であって、
複数の主要素信号と、対応する前記主要素信号に対してそれぞれ異なる位相差が与えられた複数の副要素信号とを、それぞれ波長が異なる複数の光信号に変換するステップと、
前記各光信号を、主局発信号と、前記副要素信号に与えられた位相差と等しくなるような位相差を前記主局発信号に与えて生成される副局発信号とによって、それぞれ予変調または再変調するステップと、
前記光信号を自乗検波し、前記光信号から所望の主要素信号および副要素信号を変換して抽出するステップとを含む、多重伝送方法。
【発明の詳細な説明】
【０００１】
【発明の属する技術分野】
本発明は、複数の信号を光伝送する多重伝送装置に関し、より特定的には、同一もしくは類似の信号でありながら、位相の異なる複数の信号を、それぞれ光信号に変換し、合波することにより、１本の光ファイバで伝送する多重伝送装置に関する。
【０００２】
【従来の技術】
図１５は、従来の多重伝送装置の構成を示したブロック図である。図１５において、本多重伝送装置は、第１および第２の合波部１５０１１および１５０１２と、第１および第２の光送信部１５０２１および１５０２２と、光合波部１５０３と、光伝送路１５０４と、光分波部１５０５と、第１および第２の光受信部１５０６１および１５０６２と、遅延制御部１５０７と、合波部１５０８とを備えている。
【０００３】
上記のように構成された多重伝送装置について、その動作を説明する。第１および第２の合波部１５０１１および１５０１２は、外部より供給される複数の電気信号（例えば、アンテナにおいて受信されたＲＦ信号等）を合波し、出力する。
【０００４】
ここで、第１および第２の合波部１５０１１および１５０１２へ入力される電気信号は、互いの周波数や変調形式、変調情報等の信号パラメータが等しいものの、互いの位相が異なる信号であるものとする。このような信号としては、例えば、同一の信号源から出力されながら、第１および第２の合波部１５０１１および１５０１２へ到達するまでの伝搬時間が異なる結果、互いに位相差を生じる信号等が考えられる。
【０００５】
図１５において、第１および第２の合波部１５０１１および１５０１２には、それぞれ２つの電気信号が入力される。第１の合波部１５０１１には、周波数がｆａであって、位相角が０の第１の信号Ｓａ（以後、第１の主要素信号と呼ぶ）と、周波数がｆｂであって、位相角が０の第２の信号Ｓｂ（以後、第２の主要素信号と呼ぶ）とが入力される。第２の合波部１５０１２には、周波数がｆａであって、位相角が＋τ１（τ１の位相遅れを表す）の第１の信号Ｓａ（以後、第１の副要素信号と呼ぶ）と、周波数がｆｂであって、位相角が−τ２（τ２の位相進みを表す）の第２の信号Ｓｂ（以後、第２の副要素信号と呼ぶ）とが入力される。なお、以下では、第１の主要素信号および副要素信号を総称して第１の要素信号と呼称し、第２の主要素信号および副要素信号を総称して第２の要素信号と呼称するものとする。
【０００６】
図１５において、以上の各信号は、Ｓａ＠ｆａ（０）、Ｓｂ＠ｆｂ（０）、Ｓａ＠ｆａ（τａ）、Ｓｂ＠ｆｂ（τｂ）と表記されている。記号「＠」は、属性を示す識別記号であって、記号の前を信号名とし、記号の後を信号のパラメータとする。信号のパラメータは、周波数および位相角であって、かっこの中が位相角を表している。
【０００７】
なお、上記の位相角は、いずれも伝搬遅延時間に換算することができるので、これと同義であるものとする。また、第１および第２の主要素信号をまとめて、主信号群と呼び、第１および第２の副要素信号をまとめて、副信号群と呼ぶものとする。
【０００８】
第１の光送信部１５０２１は、第１の合波部１５０１１に対応して設けられ、第１の合波部１５０１１から出力される主信号群を、波長λ１を有する第１の光信号に変換して出力する。同様に、第２の光送信部１５０２２は、第２の合波部１５０１２に対応して設けられ、第２の合波部１５０１２から出力される副信号群を、波長λ２を有する第２の光信号に変換して出力する。
【０００９】
光合波部１５０３は、第１および第２の光送信部１５０２１および１５０２２から出力されるそれぞれの光信号を合波し、光伝送路１５０４へ送出する。光分波部１５０５は、光伝送路１５０４を介して伝送される光信号を波長によって２つに分離する。分離された光信号は、波長λ１を有する第１の光信号と、波長λ２を有する第２の光信号としてそれぞれ出力される。
【００１０】
第１の光受信部１５０６１は、光分波部１５０５から出力される第１の光信号が入力される。第１の光受信部１５０６１は、入力された第１の光信号を自乗検波することによって、電気信号（主信号群）に変換して出力する。同様に、第２の光受信部１５０６２は、光分波部１５０５から出力される第２の光信号が入力される。第２の光受信部１５０６２は、入力された第２の光信号を自乗検波することによって、電気信号（副信号群）に変換して出力する。
【００１１】
遅延制御部１５０７は、第１の光受信部１５０６１から出力される主信号群に対して、所定の時間遅延τｘを与えた後、出力する。合波部１５０８は、遅延制御部１５０７から出力される時間遅延を与えられた主信号群と、第２の光受信部１５０６２から出力される副信号群とを合波し、出力する。
【００１２】
以上のように構成された多重伝送装置について、遅延制御部１５０７における時間遅延τｘの設定方法と、時間遅延を設定する本装置の動作原理およびその効果について、具体例と共に以下にに説明する。
【００１３】
図１６は、本装置の適用例の一つであって、フェイズドアレイ型アンテナの受信システムの構成を簡略化して示したものである。図１６において、本装置は、フェイズドアレイ型アンテナのアンテナエレメントである第１および第２のアンテナエレメント１６０１１および１６０１２と、第１および第２の伝送路１６０４１および１６０４２と、遅延制御部１５０７と、合波部１５０８とを備えている。
【００１４】
ここで、図１６における第１および第２のアンテナエレメント１６０１１および１６０１２は、図１５における第１および第２の合波部１５０１１および１５０１２に対応する。また、図１６における第１および第２の伝送路１６０４１および１６０４２は、図１５における第１の光送信部１５０２１から第１の光受信部１５０６１までの第１の光信号の伝搬経路および第２の光送信部１５０２２から第２の光受信部１５０６２までの第２の光信号の伝搬経路がそれぞれ簡略化されて対応する。なお、遅延制御部１５０７および合波部１５０８は、同一の構成部であって、同一の番号を付して示されている。
【００１５】
図１６における第１および第２のアンテナエレメント１６０１１および１６０１２にそれぞれ入力される第１および第２の要素信号は、図１５における第１の合波部１５０１１に入力される第１および第２の主要素信号と、第２の合波部１５０１２に入力される第１および第２の副要素信号と同様である。すなわち、これらの主要素信号と副要素信号とは、それぞれ信号源を共有する同一の信号であるが、信号源と第１および第２のアンテナエレメント１６０１１および１６０１２との物理的な配置に起因して、互いに位相の異なる信号となる。
【００１６】
例えば、第１のアンテナエレメント１６０１１に入力される第１の主要素信号に対して、第２のアンテナエレメント１６０１２に入力される第１の副要素信号は、共に第１の要素信号Ｓａではあるが、伝搬経路がより長くなることによって、伝搬時間差＋τａに相当する位相遅れを有する信号となる。
【００１７】
逆に、第１のアンテナエレメント１６０１１に入力される第２の主要素信号に対して、第２のアンテナエレメント１６０１２に入力される第２の副要素信号は、共に第２の要素信号Ｓｂではあるが、伝搬経路がより短く、当該伝搬時間差−τｂに相当する位相進みを有する信号である。
【００１８】
第１および第２のアンテナエレメント１６０１１および１６０１２に入力された各要素信号は、それぞれが合波されて、対応する第１および第２の伝送路１６０２１および１６０２２を伝搬後、合波部１５０８によって合成される。
【００１９】
ここで、周波数や変調形式、変調情報等の信号パラメータが等しい２つの信号を合成する場合には、信号の位相が互いに同相であれば、合成後に出力される信号の振幅は２倍となる。これに対して、合成される信号の位相が互いに異なる場合には、両信号は相殺しあって、合成後に出力される信号のレベルは低下し、あるいは全く出力されなくなる。
【００２０】
図１６（または図１５）に示される本装置では、以上のような原理を利用するために、第１の伝送路１６０４中に遅延制御部１５０７を挿入して、時間遅延τｘを付与する。本装置は、この時間遅延τｘを調整することによって、第１または第２の要素信号のいずれか一方を、合波部１５０８より選択的に出力することができる。
【００２１】
例えば、時間遅延τｘは、第１の合波部１５０１１（または第１のアンテナエレメント１６０１１）に入力される第１の主要素信号を基準とした、第２の合波部１５０１２（または第２のアンテナエレメント１６０１２）に入力される第１の副要素信号の伝搬時間差＋τａに一致するように調整される。このことにより、本装置は、第１の要素信号を選択出力することができる。あるいは、時間遅延τｘは、第１の合波部１５０１１（または第１のアンテナエレメント１６０１１）に入力される第２の主要素信号を基準とした、第２の合波部１５０１２（または第２のアンテナエレメント１６０１２）に入力される第２の副要素信号の伝搬時間差−τｂに一致するように調整される。このことにより、本装置は、第２の要素信号を選択出力することができる。
【００２２】
なお、合波部（またはアンテナエレメント）の数は、２つに限られるものではなく、必要に応じて、より多くを設置することが可能である。その場合には、合波部またはアンテナエレメントの数に対応した伝送路および遅延制御部を備える必要がある。
【００２３】
以上のように、従来の多重伝送装置では、互いに位相差を有する要素信号を複数含む信号群に対して、各信号群に対応して設けられた複数の経路を経てそれぞれ伝送した後、これらを合成して出力する。このような構成において、各経路の伝搬時間を適当に制御、調整することにより、所定の位相差を有する要素信号のみを選択的に抽出することができる。より具体的には、フェイズドアレイアンテナの受信システムに用いられる場合、本装置は、アンテナの電波受信角度（指向性）を、容易に制御することができる。
【００２４】
【発明が解決しようとする課題】
しかしながら、従来の多重伝送装置は、互いに位相差を有する要素信号を複数含む信号群を光信号に変換して伝送後、各光信号を分離し、それぞれ電気信号に再変換し、各遅延時間を調整した後、これらを合成するような上記の構成を有するので、各光信号毎に、光電気変換用の光受信器が複数必要となる。その結果、装置コストが上昇することになる。また、フェイズドアレイ型アンテナの受信システムに用いられる場合には、複数の光源がアンテナ側に設置されることになるので、アンテナ設備のコストが上昇し、システムの経済性が著しく損なわれることになる。
【００２５】
さらに、上記の構成において、選択抽出できる要素信号は１つに限られる。したがって、フェイズドアレイ型アンテナの受信システムにおける電波の受信角度は、遅延制御部における遅延時間を変化させることにより時間的に掃引できるものの、瞬時的には１方向に限定される。したがって、アンテナの使用効率、光伝送路の伝送効率は、共に低くなるという特有の課題を有している。
【００２６】
そこで、本発明の目的は、光電気変換用の光受信器の数を低減し、また、光源の設置位置の変更等による低コスト化を実現し、あるいは、複数の要素信号を同時に抽出することができる高効率なフェイズドアレイ型アンテナの受信システムを実現する多重伝送装置を提供することである。
【００２７】
【課題を解決するための手段および発明の効果】
第１の発明は、位相が異なる複数の信号を光信号に変換して伝送し、所望の信号のみを抽出することができる多重伝送装置であって、
所定の周波数ｆｘの主局発信号を出力する信号源と、
信号源から出力される主局発信号に対して、所定の時間遅延τｘを与えて、第１の副局発信号として出力する第１の遅延制御部と、
信号源から出力される主局発信号を、波長λ１の第１の光信号に変換し、出力する第１の光送信部と、
第１の遅延制御部から出力される第１の副局発信号を、波長λ２の第２の光信号に変換し、出力する第２の光送信部と、
第１の光送信部から出力される第１の光信号と、第２の光送信部から出力される第２の光信号とを合波し、出力する第１の光合波部と、
第１の光合波部から出力される光信号を伝送する第１の光伝送路と、
第１の光伝送路によって伝送される光信号を波長毎に分離し、第１および第２の光信号を、それぞれ出力する光分波部と、
所定の周波数ｆａの第１の主要素信号と、所定の周波数ｆｂの第２の主要素信号とを合波し、主信号群として出力する第１の合波部と、
第１の主要素信号に所定の時間遅延τａが与えられた第１の副要素信号と、第２の主要素信号に所定の時間遅延τｂが与えられた第２の副要素信号とを合波し、第１の副信号群として出力する第２の合波部と、
第１の合波部から出力される主信号群によって、光分波部から出力される第１の光信号を変調し、出力する第１の光変調部と、
第２の合波部から出力される第１の副信号群によって、光分波部から出力される第２の光信号を変調し、出力する第２の光変調部と、
第１の光変調部から出力される第１の光信号と、第２の光変調部から出力される第２の光信号とを合波し、出力する第２の光合波部と、
第２の光合波部から出力される光信号を伝送する第２の光伝送路と、
第２の光伝送路によって伝送される光信号を自乗検波し、第１の主要素信号および副要素信号、または第２の主要素信号および副要素信号のいずれか一方に一意に対応する信号を出力する光受信部とを備える。
【００２８】
上記第１の発明では、それぞれ異なる位相を有するような２つの信号群を、それぞれ波長の異なる光信号として合波、伝送し、各波長の光信号に対して、所望の要素信号間の位相差を有する複数の局発信号による予変調をそれぞれ施すことにより、所望の要素信号を抽出する多重伝送装置を低コストに実現できる。
【００２９】
第２の発明は、第１の発明において、
信号源から出力される主局発信号に対して、他とは異なる時間遅延を与えて、第２の副局発信号として出力する１つ以上の第２の遅延制御部と、
対応する第２の遅延制御部から出力される第２の副局発信号を、他とは異なる波長の第３の光信号に変換し出力する１つ以上の第３の光送信部と、
第１の主要素信号に対して他とは異なる時間遅延が与えられた第３の副要素信号と、第２の主要素信号に対して他とは異なる時間遅延が与えられた第４の副要素信号とを合波し、第２の副信号群として出力する１つ以上の第３の合波部と、
対応する第３の合波部から出力される第２の副信号群によって、光分波部から出力される第３の光信号を変調し、出力する１つ以上の第３の光変調部とをさらに備え、
第１の光合波部は、第１の光送信部から出力される第１の光信号と、第２の光送信部から出力される第２の光信号と、さらに１つ以上の第３の光送信部から出力される第３の光信号とを合波して出力し、
光分波部は、第１の光伝送路によって伝送される光信号を波長毎に分離し、第１および第２の光信号と、さらに１つ以上の第３の光信号とをそれぞれ出力し、
第２の光合波部は、第１の光変調部から出力される第１の光信号と、第２の光変調部から出力される第２の光信号と、さらに１つ以上の第３の光変調部から出力される第３の光信号とを合波して出力し、
光受信部は、第２の光伝送路によって伝送される光信号を自乗検波し、第１の主要素信号（および第１および第３の副要素信号）、または第２の主要素信号（および第２および第４の副要素信号）のいずれか１つに一意に対応する信号を出力することを特徴とする。
【００３０】
上記２の発明では、より多くの信号群を光により多重伝送し、各光信号について、局発信号による予変調を施すことにより、より高精度かつ高品質に、所望の要素信号を抽出する多重伝送装置を実現できる。
【００３１】
第３の発明は、第１の発明において、
第１の遅延制御部は、所定の時間遅延τｘが、第１または第２の主要素信号に対する第１または第２の副要素信号の時間遅延τａまたはτｂのいずれか一方に等しくなるように設定され、
光受信部は、第１の主要素信号および副要素信号を周波数│ｆｘ−ｆａ│に変換した信号、または第２の主要素信号および副要素信号を周波数│ｆｘ−ｆｂ│に変換した信号のいずれか一方を出力することを特徴とする。
【００３２】
上記第３の発明では、それぞれ異なる位相を有するような２つの信号群を、それぞれ波長の異なる光信号として合波、伝送し、各波長の光信号に対して、所望の要素信号間の位相差を有する複数の局発信号による予変調をそれぞれ施すことにより、所望の要素信号を、局発信号との差ビート周波数成分に変換し、抽出する多重伝送装置を低コストに実現できる。
【００３３】
第４の発明は、第３の発明において、
第１の主要素信号および副要素信号の周波数ｆａと、第２の主要素信号および副要素信号の周波数ｆｂとは、一致することを特徴とする。
【００３４】
上記第４の発明では、要素信号が同一周波数で、それぞれ異なる位相を有するような２つの信号群を、それぞれ波長の異なる光信号として合波、伝送し、各波長の光信号に対して、所望の要素信号間の位相差を有する複数の局発信号による予変調をそれぞれ施すことにより、いずれの所望の要素信号を、同一の周波数成分に変換し、抽出する多重伝送装置を低コストに実現できる。
【００３５】
第５の発明は、第４の発明において、
信号源は、所定の周波数ｆｘが、第１の主要素信号および副要素信号の周波数ｆａ（または第２の主要素信号および副要素信号の周波数ｆｂ）の２倍になるように設定され、
光受信部は、第１の主要素信号および副要素信号に対応する周波数ｆａの信号、または第２の主要素信号および副要素信号に対応する周波数ｆｂの信号のいずれか一方を出力することを特徴とする。
【００３６】
上記第５の発明では、２つの要素信号が同一周波数で、それぞれ異なる位相を有するような２つの信号群を、それぞれ波長の異なる光信号として合波、伝送し、各波長の光信号に対して、要素信号間の位相差を有し、２倍の周波数の複数の局発信号による予変調をそれぞれ施すことにより、所望の要素信号の周波数を変化させることなく、抽出する多重伝送装置を低コストに実現できる。
【００３７】
第６の発明は、第１の発明において、
第１および第２の主要素信号および副要素信号は、いずれも角度変調信号であることを特徴とする。
【００３８】
上記第６の発明では、要素信号の変調形式として、周波数変調（ＦＭ）を含む角度変調を採用することにより、所望の要素信号以外の要素信号による妨害および干渉を抑圧し、高品質に抽出する多重伝送装置を低コストに実現できる。
【００３９】
第７の発明は、第３の発明において、
第１および第２の主要素信号および副要素信号は、いずれも振幅シフトキーイング（ＡＳＫ：Ａｍｐｌｉｔｕｄｅ  Ｓｈｉｆｔ  Ｋｅｙｉｎｇ）変調信号であって、
信号源は、所定の周波数ｆｘが、第１の主要素信号および副要素信号の周波数ｆａまたは第２の主要素信号および副要素信号の周波数ｆｂのいずれか一方に等しくなるように設定され、
光受信部は、第１または第２の主要素信号および副要素信号のいずれか一方を復調して、対応するベースバンド信号を出力することを特徴とする。
【００４０】
上記第７の発明では、要素信号の変調形式として、振幅シフトキーイング（ＡＳＫ）を採用し、局発信号の周波数を所望の要素信号の周波数に一致させることにより、所望の要素信号のベースバンド情報を、抽出する多重伝送装置を低コストに実現できる。
【００４１】
第８の発明は、第１の発明において、
第１の遅延制御部は、所定の時間遅延τｘが、第１または第２の主要素信号に対する第１または第２の副要素信号の時間遅延τａまたはτｂのいずれか一方と同量かつ逆符号になるように設定され、
光受信部は、第１の主要素信号および副要素信号を周波数ｆｘ＋ｆａに変換した信号、または第２の主要素信号および副要素信号を周波数ｆｘ＋ｆｂに変換した信号のいずれか一方を出力することを特徴とする。
【００４２】
上記第８の発明では、第１の発明の構成において、、所望の要素信号を、局発信号との和ビート周波数成分に変換し、抽出する多重伝送装置を低コストに実現できる。
【００４３】
第９の発明は、第１の発明において、
信号源は、所定の逆拡散符号Ｃｘを元信号とした周波数ｆｘの変調信号を出力し、
第１の主要素信号および副要素信号は、ベースバンド信号Ｄａを所定の拡散符号Ｃａによってスペクトル拡散した変調信号であり、
第２の主要素信号および副要素信号は、ベースバンド信号Ｄｂを所定の拡散符号Ｃｂによってスペクトル拡散した変調信号であることを特徴とする。
【００４４】
上記第９の発明では、第１の発明における構成において、要素信号としてスペクトル拡散信号を採用することにより、所望の要素信号のベースバンド情報を抽出する多重伝送装置を低コストに実現できる。
【００４５】
第１０の発明は、第９の発明において、
信号源は、所定の逆拡散符号Ｃｘが、第１の主要素信号および副要素信号の拡散符号Ｃａまたは第２の主要素信号および副要素信号の拡散符号Ｃｂに対する逆拡散符号に設定され、
第１の遅延制御部は、所定の時間遅延τｘが、第１または第２の主要素信号に対する第１または第２の副要素信号の時間遅延τａまたはτｂのいずれか一方に等しくなるように設定され、
光受信部は、第１の主要素信号および副要素信号をスペクトル逆拡散し、周波数│ｆｘ−ｆａ│に変換した信号、または第２の主要素信号および副要素信号をスペクトル逆拡散し、周波数│ｆｘ−ｆｂ│に変換した信号のいずれか一方を出力することを特徴とする。
【００４６】
上記第１０の発明では、第９の発明における構成において、所望の要素信号のベースバンド情報を、局発信号との差ビート周波数成分に変換し、抽出する多重伝送装置を低コストに実現できる。
【００４７】
第１１の発明は、第１０の発明において、
第１の主要素信号および副要素信号の周波数ｆａと、第２の主要素信号および副要素信号の周波数ｆｂとは、一致することを特徴とする。
【００４８】
上記第１１の発明では、第９の発明における構成において、いずれの所望の要素信号のベースバンド情報を、同一の周波数に変換し、抽出する多重伝送装置を低コストに実現できる。
【００４９】
第１２の発明は、第１１の発明において、
信号源は、所定の周波数ｆｘが、第１の主要素信号および副要素信号の周波数ｆａ（または第２の主要素信号および副要素信号の周波数ｆｂ）の２倍になるように設定され、
光受信部は、第１の主要素信号および副要素信号をスペクトル逆拡散した周波数ｆａの信号、または第２の主要素信号および副要素信号をスペクトル逆拡散した周波数ｆｂの信号のいずれか一方を出力することを特徴とする。
【００５０】
上記第１２の発明では、第９の発明における構成において、所望の要素信号の周波数を変化させることなく、該ベースバンド情報を抽出する多重伝送装置を低コストに実現できる。
【００５１】
第１３の発明は、第９の発明において、
信号源は、所定の逆拡散符号Ｃｘが、第１の主要素信号および副要素信号の拡散符号Ｃａまたは第２の主要素信号および副要素信号の拡散符号Ｃｂに対する逆拡散符号に設定され、
第１の遅延制御部は、所定の時間遅延τｘが、第１または第２の主要素信号に対する第１または第２の副要素信号の時間遅延τａまたはτｂのいずれか一方と同量かつ逆符号になるように設定され、
光受信部は、第１の主要素信号および副要素信号をスペクトル逆拡散し、周波数ｆｘ＋ｆａに変換した信号、または第２の主要素信号および副要素信号をスペクトル逆拡散し、周波数ｆｘ＋ｆｂに変換した信号のいずれか一方を出力することを特徴とする。
【００５２】
上記第１３の発明では、第９の発明における構成において、所望の要素信号を、局発信号との和ビート周波数成分に変換し、抽出する多重伝送装置を低コストに実現できる。
【００５３】
第１４の発明は、位相が異なる複数の信号を光信号に変換して伝送し、所望の信号を同時に抽出することができる多重伝送装置であって、
所定の周波数ｆｘの第１の主局発信号を出力する第１の信号源と、
所定の周波数ｆｙの第２の主局発信号を出力する第２の信号源と、
第１の信号源から出力される第１の主局発信号に対して、所定の時間遅延τｘを与えて、第１の副局発信号として出力する第１の遅延制御部と、
第２の信号源から出力される第２の主局発信号に対して、所定の時間遅延τｙを与えて、第２の副局発信号として出力する第２の遅延制御部と、
第１の信号源から出力される第１の主局発信号と、第２の信号源から出力される第２の主局発信号とを合波し、主局発信号群として出力する第３の合波部と、
第１の遅延制御部から出力される第１の副局発信号と、第２の遅延制御部から出力される第２の副局発信号とを合波し、第１の副局発信号群として出力する第４の合波部と、
第３の合波部から出力される主局発信号群を、波長λ１の第１の光信号に変換し、出力する第１の光送信部と、
第４の合波部から出力される第１の副局発信号群を、波長λ２の第２の光信号に変換し、出力する第２の光送信部と、
第１の光送信部から出力される第１の光信号と、第２の光送信部から出力される第２の光信号とを合波し、出力する第１の光合波部と、
第１の光合波部から出力される光信号を伝送する第１の光伝送路と、
第１の光伝送路によって伝送される光信号を波長毎に分離し、第１および第２の光信号を、それぞれ出力する光分波部と、
所定の周波数ｆａの第１の主要素信号と、所定の周波数ｆｂの第２の主要素信号とを合波し、主信号群として出力する第１の合波部と、
第１の主要素信号に所定の時間遅延τａが与えられた第１の副要素信号と、第２の主要素信号に所定の時間遅延τｂが与えられた第２の副要素信号とを合波し、第１の副信号群として出力する第２の合波部と、
第１の合波部から出力される主信号群によって、光分波部から出力される第１の光信号を変調し、出力する第１の光変調部と、
第２の合波部から出力される第１の副信号群によって、光分波部から出力される第２の光信号を変調し、出力する第２の光変調部と、
第１の光変調部から出力される第１の光信号と、第２の光変調部から出力される第２の光信号とを合波し、出力する第２の光合波部と、
第２の光合波部から出力される光信号を伝送する第２の光伝送路と、
第２の光伝送路によって伝送される光信号を自乗検波し、第１の主要素信号および副要素信号と、第２の主要素信号および副要素信号との双方に一意に対応する信号を出力する光受信部と、
光受信部から出力される信号を、第１の主要素信号および副要素信号と、第２の主要素信号および副要素信号とのそれぞれに一意に対応する各信号成分のみを透過するように分離し、出力する透過部とを備える。
【００５４】
上記第１４の発明では、それぞれ異なる位相を有するような２つの信号群を、それぞれ波長の異なる光信号として合波、伝送し、各波長の光信号に対して、所望の要素信号間の位相差を有する要素局発信号からなる複数の局発信号群による予変調をそれぞれ施すことにより、複数の所望の要素信号を同時に抽出する多重伝送装置を低コストに実現できる。
【００５５】
第１５の発明は、第１２の発明において、
所定の周波数を有する第３の主局発信号を出力する１つ以上の第３の信号源と、
対応する第３の信号源から出力される第３の主局発信号に対して、他とは異なる時間遅延を与えて、第３の副局発信号として出力する１つ以上の第３の遅延制御部とをさらに備え、
第３の合波部は、第１の信号源から出力される第１の主局発信号と、第２の信号源から出力される第２の主局発信号と、さらに１つ以上の第３の信号源から出力される第３の主局発信号とを合波し、主局発信号群として出力し、
第４の合波部は、第１の遅延制御部から出力される第１の副局発信号と、第２の遅延制御部から出力される第２の副局発信号と、さらに１つ以上の第３の遅延制御部から出力される第３の副局発信号とを合波し、第１の副局発信号群として出力し、
第１の合波部は、所定の周波数ｆａの第１の主要素信号と、所定の周波数ｆｂの第２の主要素信号と、さらに所定の周波数を有する１つ以上の第３の主要素信号とを合波し、主信号群として出力し、
第２の合波部は、第１の主要素信号に所定の時間遅延τａが与えられた第１の副要素信号と、第２の主要素信号に所定の時間遅延τｂが与えられた第２の副要素信号と、さらに対応する第３の主要素信号に他とは異なる所定の時間遅延が与えられた１つ以上の第３の副要素信号とを合波し、第１の副信号群として出力し、
光受信部は、第２の光伝送路によって伝送される光信号を自乗検波し、第１の主要素信号および副要素信号と、第２の主要素信号および副要素信号と、１つ以上の第３の主要素信号および副要素信号とに一意に対応する信号を出力し、
透過部は、光受信部から出力される信号を、第１の主要素信号および副要素信号と、第２の主要素信号および副要素信号と、１つ以上の第３の主要素信号および副要素信号とのそれぞれに一意に対応する各信号成分のみを透過するように分離し、出力することを特徴とする。
【００５６】
上記第１５の発明では、それぞれ異なる位相を有するような３つ以上のの信号群を、それぞれ波長の異なる光信号として合波、伝送し、各波長の光信号に対して、所望の要素信号間の位相差を有する要素局発信号からなる複数の局発信号群による予変調をそれぞれ施すことにより、複数の所望の要素信号を、同時に抽出する多重伝送装置を低コストに実現できる。
【００５７】
第１６の発明は、第１４の発明において、
第１の信号源から出力される第１の主局発信号に対して、他とは異なる時間遅延を与えて、第３の副局発信号として出力する１つ以上の第３の遅延制御部と、第２の信号源から出力される第２の主局発信号に対して、他とは異なる時間遅延を与えて、第４の副局発信号として出力する１つ以上の第４の遅延制御部と、対応する第３の遅延制御部から出力される第３の副局発信号と、対応する第４の遅延制御部から出力される第４の副局発信号とを合波し、第２の副局発信号群として出力する１つ以上の第５の合波部と、
対応する第５の合波部から出力される第２の副局発信号群を、他とは異なる波長の第３の光信号に変換し出力する１つ以上の第３の光送信部と、
第１の主要素信号に対して他とは異なる時間遅延が与えられた第３の副要素信号と、第２の主要素信号に対して他とは異なる時間遅延が与えられた第４の副要素信号とを合波し、第２の副信号群として出力する１つ以上の第６の合波部と、
対応する第６の合波部から出力される第２の副信号群によって、光分波部から出力される第３の光信号を変調し、出力する１つ以上の第３の光変調部とをさらに備え、
第１の光合波部は、第１の光送信部から出力される第１の光信号と、第２の光送信部から出力される第２の光信号と、さらに１つ以上の第３の光送信部から出力される第３の光信号とを合波して出力し、
光分波部は、第１の光伝送路によって伝送される光信号を波長毎に分離し、第１および第２の光信号と、さらに１つ以上の第３の光信号とをそれぞれ出力し、第２の光合波部は、第１の光変調部から出力される第１の光信号と、第２の光変調部から出力される第２の光信号と、さらに１つ以上の第３の光変調部から出力される第３の光信号とを合波して出力し、
光受信部は、第２の光伝送路によって伝送される光信号を自乗検波し、第１の主要素信号（および第１および第３の副要素信号）と、第２の主要素信号（および第２および第４の副要素信号）とのそれぞれに一意に対応する信号を出力し、透過部は、光受信部から出力される信号を、第１の主要素信号（および第１および第３の副要素信号）と、第２の主要素信号（および第２および第４の副要素信号）とのそれぞれに一意に対応する各信号成分のみを透過するように分離し、出力することを特徴とする。
【００５８】
上記第１６の発明では、より多くの信号群を光により多重伝送し、各光信号について、局発信号による予変調を施すことにより、より高精度かつ高品質に、所望の要素信号を抽出する多重伝送装置を実現できる。
【００５９】
第１７の発明は、第１４の発明において、
第１の遅延制御部は、所定の時間遅延τｘが、第１の主要素信号に対する第１の副要素信号の時間遅延τａに等しくなるように設定され、
第２の遅延制御部は、所定の時間遅延τｙが、第２の主要素信号に対する第２の副要素信号の時間遅延τｂに等しくなるように設定され、
光受信部は、第１の主要素信号および副要素信号を周波数│ｆｘ−ｆａ│に変換した信号と、第２の主要素信号および副要素信号を周波数│ｆｘ−ｆｂ│に変換した信号とを含む信号を出力することを特徴とする。
【００６０】
上記第１７の発明では、第１４の発明の構成において、複数の所望の要素信号を、該局発信号とのビート周波数成分に変換し、同時に抽出する多重伝送装置を低コストに実現できる。
【００６１】
第１８の発明は、第１７の発明において、
第１の主要素信号および副要素信号の周波数ｆａと、第２の主要素信号および副要素信号の周波数ｆｂとは、一致することを特徴とする。
【００６２】
上記第１８の発明では、第１４の発明の構成において、いずれの複数の所望の要素信号を、同一の周波数成分に変換し、抽出する多重伝送装置を低コストに実現できる。
【００６３】
第１９の発明は、第１７の発明において、
第１および第２の主要素信号および副要素信号は、いずれも角度変調信号であることを特徴とする。
【００６４】
上記第１９の発明では、要素信号の変調形式として、周波数変調（ＦＭ）を含む角度変調を採用することにより、所望の要素信号以外の要素信号による妨害および干渉を抑圧し、高品質に抽出する多重伝送装置を低コストに実現できる。
【００６５】
第２０の発明は、第１４の発明において、
第１の遅延制御部は、所定の時間遅延τｘが、第１の主要素信号に対する第１の副要素信号の時間遅延τａと同量かつ逆符号になるように設定され、
第２の遅延制御部は、所定の時間遅延τｙが、第２の主要素信号に対する第２の副要素信号の時間遅延τｂに等しくなるように設定され、
光受信部は、第１の主要素信号および副要素信号を周波数ｆｘ＋ｆａに変換した信号と、第２の主要素信号および副要素信号を周波数ｆｘ＋ｆｂに変換した信号とを含む信号を出力することを特徴とする。
【００６６】
上記第２０の発明では、第１４の発明における構成において、所望の要素信号を、局発信号との和ビート周波数成分に変換し、抽出する多重伝送装置を低コストに実現できる。
【００６７】
第２１の発明は、第１４の発明において、
第１の信号源は、所定の逆拡散符号Ｃｘを元信号とした周波数ｆｘの変調信号を出力し、
第２の信号源は、所定の逆拡散符号Ｃｙを元信号とした周波数ｆｙの変調信号を出力し、
第１の主要素信号および副要素信号は、ベースバンド信号Ｄａを所定の拡散符号Ｃａによってスペクトル拡散した変調信号であり、
第２の主要素信号および副要素信号は、ベースバンド信号Ｄｂを所定の拡散符号Ｃｂによってスペクトル拡散した変調信号であることを特徴とする。
【００６８】
上記第２１の発明では、第１４の発明の構成において、要素信号としてスペクトル拡散信号を採用し、複数の所望の要素信号のベースバンド情報を、同時に抽出する多重伝送装置を低コストに実現できる。
【００６９】
第２２の発明は、第２１の発明において、
第１の信号源は、所定の逆拡散符号Ｃｘが、第１の主要素信号および副要素信号の拡散符号Ｃａに対する逆拡散符号に設定され、
第２の信号源は、所定の逆拡散符号Ｃｘが、第２の主要素信号および副要素信号の拡散符号Ｃｂに対する逆拡散符号に設定され、
第１の遅延制御部は、所定の時間遅延τｘが、第１の主要素信号に対する第１の副要素信号の時間遅延τａに等しくなるように設定され、
第２の遅延制御部は、所定の時間遅延τｙが、第２の主要素信号に対する第２の副要素信号の時間遅延τｂに等しくなるように設定され、
光受信部は、第１の主要素信号および副要素信号をスペクトル逆拡散し、周波数│ｆｘ−ｆａ│に変換した信号と、第２の主要素信号および副要素信号をスペクトル逆拡散し、周波数│ｆｘ−ｆｂ│に変換した信号との双方を含む信号を出力することを特徴とする。
【００７０】
上記第２２の発明では、第１４の発明における構成において、所望の要素信号のベースバンド情報を、局発信号との差ビート周波数成分に変換し、抽出する多重伝送装置を低コストに実現できる。
【００７１】
第２３の発明は、第２２の発明において、
第１の主要素信号および副要素信号の周波数ｆａと、第２の主要素信号および副要素信号の周波数ｆｂとは、一致することを特徴とする。
【００７２】
上記第２３の発明では、第２２の発明の構成において、いずれの複数の所望の要素信号を、同一の周波数成分に変換し、抽出する多重伝送装置を低コストに実現できる。
【００７３】
第２４の発明は、第２２の発明において、
拡散符号Ｃａと拡散符号Ｃｂとは、一致することを特徴とする。
【００７４】
上記第２４の発明では、第２２の発明における構成において、拡散符号が一致している場合であっても、所望の要素信号のベースバンド情報を、局発信号との差ビート周波数成分に変換し、抽出する多重伝送装置を低コストに実現できる。
【００７５】
第２５の発明は、第２１の発明において、
第１の信号源は、所定の逆拡散符号Ｃｘが、第１の主要素信号および副要素信号の拡散符号Ｃａに対する逆拡散符号に設定され、
第２の信号源は、所定の逆拡散符号Ｃｘが、第２の主要素信号および副要素信号の拡散符号Ｃｂに対する逆拡散符号に設定され、
第１の遅延制御部は、所定の時間遅延τｘが、第１の主要素信号に対する第１の副要素信号の時間遅延τａとは同量かつ逆符号になるように設定され、
第２の遅延制御部は、所定の時間遅延τｙが、第２の主要素信号に対する第２の副要素信号の時間遅延τｂとは同量かつ逆符号になるように設定され、
光受信部は、第１の主要素信号および副要素信号をスペクトル逆拡散し、周波数ｆｘ＋ｆａに変換した信号と、第２の主要素信号および副要素信号をスペクトル逆拡散し、周波数ｆｘ＋ｆｂに変換した信号との双方を含む信号を出力することを特徴とする。
【００７６】
上記第２５の発明では、第１４の発明における構成において、所望の要素信号のベースバンド情報を、局発信号との和ビート周波数成分に変換し、抽出する多重伝送装置を低コストに実現できる。
【００７７】
第２６の発明は、位相が異なる複数の信号を光信号に変換して伝送し、所望の信号のみを抽出することができる多重伝送装置であって、
所定の周波数ｆｘの主局発信号を出力する信号源と、
信号源から出力される主局発信号に対して、所定の時間遅延τｘを与えて、第１の副局発信号として出力する第１の遅延制御部と、
信号源から出力される主局発信号を、波長λ１の第１の光信号に変換し、出力する第１の光送信部と、
第１の遅延制御部から出力される第１の副局発信号を、波長λ２の第２の光信号に変換し、出力する第２の光送信部と、
第１の光送信部から出力される第１の光信号と、第２の光送信部から出力される第２の光信号とを合波し、出力する第１の光合波部と、
第１の端子に入力される光信号を透過して、第２の端子から出力すると共に、第２の端子に入力される光信号を透過して、第３の端子から出力する性質を有し、第１の端子に接続される光合波部から出力される光信号を透過し、第２の端子から出力する第１の光合分波部と、
第１の光合分波部における第２の端子に接続されて、光信号を双方向に伝送する光伝送路と、
第４の端子に入力される光信号を波長毎に分離し、それぞれ第５および第６の端子から出力すると共に、第５および第６の端子に入力される光信号を合波し、第４の端子から出力する性質を有し、第４の端子に接続される光伝送路を介して第１の光合分波部における第２の端子から出力される光信号を波長毎に分離し、第１の光信号を第５の端子から出力し、第２の光信号を第６の端子から出力する第２の光合分波部と、
所定の周波数ｆａの第１の主要素信号と、所定の周波数ｆｂの第２の主要素信号とを合波し、主信号群として出力する第１の合波部と、
第１の主要素信号に所定の時間遅延τａが与えられた第１の副要素信号と、第２の主要素信号に所定の時間遅延τｂが与えられた第２の副要素信号とを合波し、第１の副信号群として出力する第２の合波部と、
第１の合波部から出力される主信号群によって、第２の光合分波部における第５の端子から出力される第１の光信号を変調すると共に、これを反射し、第２の光合分波部における第５の端子に入力する第１の光変調部と、
第２の合波部から出力される第１の副信号群によって、第２の光合分波部における第６の端子から出力される第２の光信号を変調すると共に、これを反射し、第２の光合分波部における第６の端子に入力する第２の光変調部と、
第１の光合分波部における第３の端子から出力される光信号を自乗検波し、第１の主要素信号および副要素信号、または第２の主要素信号および副要素信号のいずれか一方に一意に対応する信号を出力する光受信部とを備える。
【００７８】
上記第２６の発明では、それぞれ異なる位相を有するような２つの信号群を、それぞれ波長の異なる光信号として合波、伝送し、各波長の光信号に対して、所望の要素信号間の位相差を有する複数の局発信号による予変調をそれぞれ施す構成において、反射型光変調器を用いて、２つの信号群をそれぞれ光信号に変換し、１本の光ファイバを双方向伝送に使用することにより、より簡単な装置構成により、所望の要素信号を抽出する多重伝送装置をさらに低コストに実現できる。
【００７９】
第２７の発明は、位相が異なる複数の信号を光信号に変換して伝送し、所望の信号のみを抽出することができる多重伝送装置であって、
所定の周波数ｆａの第１の主要素信号と、所定の周波数ｆｂの第２の主要素信号とを合波し、主信号群として出力する第１の合波部と、
第１の主要素信号に所定の時間遅延τａが与えられた第１の副要素信号と、第２の主要素信号に所定の時間遅延τｂが与えられた第２の副要素信号とを合波し、第１の副信号群として出力する第２の合波部と、
第１の合波部から出力される主信号群を、波長λ１の第１の光信号に変換し、出力する第１の光送信部と、
第２の合波部から出力される第１の副信号群を、波長λ２の第２の光信号に変換し、出力する第２の光送信部と、
第１の光送信部から出力される第１の光信号と、第２の光送信部から出力される第２の光信号とを合波し、出力する第１の光合波部と、
第１の光合波部から出力される光信号を伝送する光伝送路と、
光伝送路によって伝送される光信号を波長毎に分離し、第１および第２の光信号を、それぞれ出力する光分波部と、
所定の周波数ｆｘの主局発信号を出力する信号源と、
信号源から出力される主局発信号に対して、所定の時間遅延τｘを与えて、第１の副局発信号として出力する第１の遅延制御部と、
信号源から出力される主局発信号によって、光分波部から出力される第１の光信号を変調し、出力する第１の光変調部と、
第１の遅延制御部から出力される第１の副局発信号によって、光分波部から出力される第２の光信号を変調し、出力する第２の光変調部と、
第１の光変調部から出力される第１の光信号と、第２の光変調部から出力される第２の光信号とを合波し、出力する第２の光合波部と、
第２の光合波部から出力される光信号を自乗検波し、第１の主要素信号および副要素信号、または第２の主要素信号および副要素信号のいずれか一方に一意に対応する信号を出力する光受信部とを備える。
【００８０】
上記第２７の発明では、それぞれ異なる位相を有するような２つの信号群を、それぞれ波長の異なる光信号として合波、伝送し、各波長の光信号に対して、所望の要素信号間の位相差を有する複数の局発信号による再変調をそれぞれ施すことにより、所望の要素信号を抽出する多重伝送装置を実現できる。
【００８１】
第２８の発明は、第２７の発明において、
第１の主要素信号に対して他とは異なる時間遅延が与えられた第３の副要素信号と、第２の主要素信号に対して他とは異なる時間遅延が与えられた第４の副要素信号とを合波し、第２の副信号群として出力する１つ以上の第３の合波部と、
対応する第３の合波部から出力される第２の副信号群を、他とは異なる波長の第３の光信号に変換し出力する１つ以上の第３の光送信部と、
信号源から出力される主局発信号に対して、他とは異なる時間遅延を与えて、第２の副局発信号として出力する１つ以上の第２の遅延制御部と、
対応する第２の遅延制御部から出力される第２の副局発信号によって、光分波部から出力される第３の光信号を変調し、出力する１つ以上の第３の光変調部とをさらに備え、
第１の光合波部は、第１の光送信部から出力される第１の光信号と、第２の光送信部から出力される第２の光信号と、さらに１つ以上の第３の光送信部から出力される第３の光信号とを合波して出力し、
光分波部は、光伝送路によって伝送される光信号を波長毎に分離し、第１および第２の光信号と、さらに１つ以上の第３の光信号とをそれぞれ出力し、
第２の光合波部は、第１の光変調部から出力される第１の光信号と、第２の光変調部から出力される第２の光信号と、さらに１つ以上の第３の光変調部から出力される第３の光信号とを合波して出力し、
光受信部は、第２の光合波部から出力される信号を自乗検波し、第１の主要素信号（および第１および第３の副要素信号）、または第２の主要素信号（および第２および第４の副要素信号）のいずれか１つに一意に対応する信号を出力することを特徴とする。
【００８２】
上記第２８の発明では、より多くの信号群を光により多重伝送し、各光信号について、局発信号による再変調を施すことにより、より高精度かつ高品質に、所望の要素信号を抽出する多重伝送装置を実現できる。
【００８３】
第２９の発明は、第２７の発明において、
信号源は、所定の逆拡散符号Ｃｘを元信号とした周波数ｆｘの変調信号を出力し、
第１の主要素信号および副要素信号は、ベースバンド信号Ｄａを所定の拡散符号Ｃａによってスペクトル拡散した変調信号であり、
第２の主要素信号および副要素信号は、ベースバンド信号Ｄｂを所定の拡散符号Ｃｂによってスペクトル拡散した変調信号であることを特徴とする。
【００８４】
上記第２９の発明では、第２７の発明における構成において、要素信号としてスペクトル拡散信号を採用することにより、所望の要素信号のベースバンド情報を抽出する多重伝送装置を低コストに実現できる。
【００８５】
第３０の発明は、位相が異なる複数の信号を光信号に変換して伝送し、所望の信号を同時に抽出することができる多重伝送装置であって、
所定の周波数ｆａの第１の主要素信号と、所定の周波数ｆｂの第２の主要素信号とを合波し、主信号群として出力する第１の合波部と、
第１の主要素信号に所定の時間遅延τａが与えられた第１の副要素信号と、第２の主要素信号に所定の時間遅延τｂが与えられた第２の副要素信号とを合波し、第１の副信号群として出力する第２の合波部と、
第１の合波部から出力される主信号群を、波長λ１の第１の光信号に変換し、出力する第１の光送信部と、
第２の合波部から出力される第１の副信号群を、波長λ２の第２の光信号に変換し、出力する第２の光送信部と、
第１の光送信部から出力される第１の光信号と、第２の光送信部から出力される第２の光信号とを合波し、出力する第１の光合波部と、
第１の光合波部から出力される光信号を伝送する光伝送路と、
光伝送路によって伝送される光信号を波長毎に分離し、第１および第２の光信号を、それぞれ出力する光分波部と、
所定の周波数ｆｘの第１の主局発信号を出力する第１の信号源と、
所定の周波数ｆｙの第２の主局発信号を出力する第２の信号源と、
第１の信号源から出力される第１の主局発信号に対して、所定の時間遅延τｘを与えて、第１の副局発信号として出力する第１の遅延制御部と、
第２の信号源から出力される第２の主局発信号に対して、所定の時間遅延τｙを与えて、第２の副局発信号として出力する第２の遅延制御部と、
第１の信号源から出力される第１の主局発信号と、第２の信号源から出力される第２の主局発信号とを合波し、主局発信号群として出力する第３の合波部と、
第１の遅延制御部から出力される第１の副局発信号と、第２の遅延制御部から出力される第２の副局発信号とを合波し、第１の副局発信号群として出力する第４の合波部と、
第３の合波部から出力される主局発信号群によって、光分波部から出力される第１の光信号を変調し、出力する第１の光変調部と、
第４の合波部から出力される第１の副局発信号群によって、光分波部から出力される第２の光信号を変調し、出力する第２の光変調部と、
第１の光変調部から出力される第１の光信号と、第２の光変調部から出力される第２の光信号とを合波し、出力する第２の光合波部と、
第２の光合波部から出力される光信号を自乗検波し、第１の主要素信号および副要素信号と、第２の主要素信号および副要素信号との双方に一意に対応する信号を出力する光受信部と、
光受信部から出力される信号を、第１の主要素信号および副要素信号と、第２の主要素信号および副要素信号とのそれぞれに一意に対応する各信号成分のみを透過するように分離し、出力する透過部とを備える。
【００８６】
上記第３０の発明では、それぞれ異なる位相を有するような２つの信号群を、それぞれ波長の異なる光信号として合波、伝送し、各波長の光信号に対して、所望の要素信号間の位相差を有する要素局発信号からなる複数の局発信号群による再変調をそれぞれ施すことにより、複数の所望の要素信号を同時に抽出する多重伝送装置を実現できる。
【００８７】
第３１の発明は、第３０の発明において、
所定の周波数を有する第３の主局発信号を出力する１つ以上の第３の信号源と、
第１の合波部は、所定の周波数ｆａの第１の主要素信号と、所定の周波数ｆｂの第２の主要素信号と、さらに所定の周波数を有する１つ以上の第３の主要素信号とを合波し、主信号群として出力し、
第２の合波部は、第１の主要素信号に所定の時間遅延τａが与えられた第１の副要素信号と、第２の主要素信号に所定の時間遅延τｂが与えられた第２の副要素信号と、さらに対応する第３の主要素信号に他とは異なる所定の時間遅延が与えられた１つ以上の第３の副要素信号とを合波し、第１の副信号群として出力し、
第３の合波部は、第１の信号源から出力される第１の主局発信号と、第２の信号源から出力される第２の主局発信号と、さらに１つ以上の第３の信号源から出力される第３の主局発信号とを合波し、主局発信号群として出力し、
第４の合波部は、第１の遅延制御部から出力される第１の副局発信号と、第２の遅延制御部から出力される第２の副局発信号と、さらに１つ以上の第３の遅延制御部から出力される第３の副局発信号とを合波し、第１の副局発信号群として出力し、
対応する第３の信号源から出力される第３の主局発信号に対して、他とは異なる時間遅延を与えて、第３の副局発信号として出力する１つ以上の第３の遅延制御部とをさらに備え、
光受信部は、第２の光合波部から出力される光信号を自乗検波し、第１の主要素信号および副要素信号と、第２の主要素信号および副要素信号と、１つ以上の第３の主要素信号および副要素信号とに一意に対応する信号を出力し、
透過部は、光受信部から出力される信号を、第１の主要素信号および副要素信号と、第２の主要素信号および副要素信号と、１つ以上の第３の主要素信号および副要素信号とのそれぞれに一意に対応する各信号成分のみを透過するように分離し、出力することを特徴とする。
【００８８】
上記第３１の発明では、それぞれ異なる位相を有するような３つ以上の信号群を、それぞれ波長の異なる光信号として合波、伝送し、各波長の光信号に対して、所望の要素信号間の位相差を有する要素局発信号からなる複数の局発信号群による再変調をそれぞれ施すことにより、複数の所望の要素信号を同時に抽出する多重伝送装置を低コストで実現できる。
【００８９】
第３２の発明は、第３０の発明において、
第１の主要素信号に対して他とは異なる時間遅延が与えられた第３の副要素信号と、第２の主要素信号に対して他とは異なる時間遅延が与えられた第４の副要素信号とを合波し、第２の副信号群として出力する１つ以上の第６の合波部と、
対応する第６の合波部から出力される第２の副信号群を、他とは異なる波長の第３の光信号に変換し出力する１つ以上の第３の光送信部と、
第１の信号源から出力される第１の主局発信号に対して、他とは異なる時間遅延を与えて、第３の副局発信号として出力する１つ以上の第３の遅延制御部と、
第２の信号源から出力される第２の主局発信号に対して、他とは異なる時間遅延を与えて、第４の副局発信号として出力する１つ以上の第４の遅延制御部と、
対応する第３の遅延制御部から出力される第３の副局発信号と、対応する第４の遅延制御部から出力される第４の副局発信号とを合波し、第２の副局発信号群として出力する１つ以上の第５の合波部と、
対応する第５の合波部から出力される第２の副局発信号群によって、光分波部から出力される第３の光信号を変調し、出力する１つ以上の第３の光変調部とをさらに備え、
第１の光合波部は、第１の光送信部から出力される第１の光信号と、第２の光送信部から出力される第２の光信号と、さらに１つ以上の第３の光送信部から出力される第３の光信号とを合波して出力し、
光分波部は、光伝送路によって伝送される光信号を波長毎に分離し、第１および第２の光信号と、さらに１つ以上の第３の光信号とをそれぞれ出力し、
第２の光合波部は、第１の光変調部から出力される第１の光信号と、第２の光変調部から出力される第２の光信号と、さらに１つ以上の第３の光変調部から出力される第３の光信号とを合波して出力し、
光受信部は、第２の光合波部から出力される光信号を自乗検波し、第１の主要素信号（および第１および第３の副要素信号）と、第２の主要素信号（および第２および第４の副要素信号）とのそれぞれに一意に対応する信号を出力し、
透過部は、光受信部から出力される信号を、第１の主要素信号（および第１および第３の副要素信号）と、第２の主要素信号（および第２および第４の副要素信号）とのそれぞれに一意に対応する各信号成分のみを透過するように分離し、出力することを特徴とする。
【００９０】
上記第３２の発明では、より多くの信号群を光により多重伝送し、各光信号について、局発信号による予変調を施すことにより、より高精度かつ高品質に、所望の要素信号を抽出する多重伝送装置を実現できる。
【００９１】
第３３の発明は、位相が異なる複数の信号を光信号に変換して伝送し、所望の信号を抽出することができる多重伝送方法であって、
複数の主要素信号と、対応する主要素信号に対してそれぞれ異なる位相差が与えられた複数の副要素信号とを、それぞれ波長が異なる複数の光信号に変換するステップと、
各光信号を、主局発信号と、副要素信号に与えられた位相差と等しくなるような位相差を主局発信号に与えて生成される副局発信号とによって、それぞれ予変調または再変調するステップと、
光信号を自乗検波し、光信号から所望の主要素信号および副要素信号を変換して抽出するステップとを備える。
【００９２】
上記第３３の発明では、それぞれ異なる位相を有する複数の信号群を、それぞれ波長の異なる光信号として合波、伝送し、各波長の光信号に対して、所望の要素信号間の位相差を有する複数の局発信号による予変調ないし再変調をそれぞれ施すことにより、所望の要素信号を抽出する多重伝送方法を実現することができる。
【００９３】
【発明の実施の形態】
（第１の実施形態）
本発明の第１の実施形態に係る多重伝送装置について、図１にその構成を示すと共に、以下に説明する。図１において、本多重伝送装置は、信号源１０１と、遅延制御部１０２と、第１および第２の光送信部１０３１および１０３２と、第１の光合波部１０４と、第１の光伝送路１０５１と、光分波部１０６と、第１および第２の合波部１０７１および１０７２と、第１および第２の光変調部１０８１および１０８２と、第２の光合波部１０９と、第２の光伝送路１０５２と、光受信部１１０とを備えている。
【００９４】
なお、図１において、Ｓａ＠ｆａ（０）、Ｓｂ＠ｆｂ（０）、Ｓａ＠ｆａ（τａ）、Ｓｂ＠ｆｂ（τｂ）と表記されている各信号は、前述した図１５における各信号と同じである。また、本装置をフェイズドアレイ型アンテナの受信システムの構成に適用できることについては、図１６において前述したとおりである。
【００９５】
次に、図１に示す本実施形態の動作を説明する。信号源１０１は、所定の周波数ｆｘの局発信号を出力する。遅延制御部１０２は、信号源１０１から出力される局発信号（主局発信号）に対して、所定の時間遅延（位相差）τｘを付与し、副局発信号として出力する。
【００９６】
第１の光送信部１０３１は、信号源１０１から出力される主局発信号を、波長λ１の第１の光信号に変換して出力する。第２の光送信部１０３２は、遅延制御部１０２から出力される副局発信号を、波長λ２の第２の光信号に変換して出力する。
【００９７】
第１の光合波部１０４は、第１および第２の光送信部１０３１および１０３２から出力される第１および第２の光信号を合波し、第１の光伝送路１０５１へ送出する。光分波部１０６は、第１の光伝送路１０５１を介して伝送される光信号を波長毎に分離し、波長λ１の第１の光信号と、波長λ２の第２の光信号を、それぞれ出力する。
【００９８】
第１の合波部１０７１は、周波数ｆａの第１の主要素信号Ｓａと、周波数ｆｂの第２の主要素信号Ｓｂとを合波して出力する。第２の合波部１０７２は、第１の合波部１０７１に入力される第１の主要素信号に対して位相差（遅延時間差）τａを有する第１の副要素信号と、第２の主要素信号に対して位相差τｂを有する第２の副要素信号とを合波して出力する。
【００９９】
第１および第２の光変調部１０８１および１０８２は、第１および第２の合波部１０７１および１０７２に対応して設けられ、光分波部１０６から出力される第１および第２の光信号が入力される。また、第１および第２の光変調部１０８１および１０８２は、それぞれ対応する第１および第２の合波部１０７１および１０７２から出力される信号（主要素信号群および副要素信号群）によって、光分波部１０６から出力される第１および第２の光信号を変調して出力する。
【０１００】
第２の光合波部１０９は、第１および第２の光変調部１０８１および１０８２から出力される第１および第２の光信号を合波し、第２の光伝送路１０５２へ送出する。
【０１０１】
光受信部１１０は、自乗検波特性を有し、第２の光伝送路１０５２を介して伝送される光信号を電気信号に再変換し、第１または第２の要素信号をそれぞれ周波数変換して得られる信号Ｓａ’またはＳｂ’を出力する。なお、第１の主要素信号および副要素信号を総称して第１の要素信号と呼称し、第２の主要素信号および副要素信号を総称して第２の要素信号と呼称することは前述したとおりである。
【０１０２】
ここで、本多重伝送装置の動作について、さらに詳しく説明する。まず、第１の光送信部１０３１は、主局発信号（周波数ｆｘ）を用いて、第１の光信号に予め変調を施す。その後、第１の光変調部１０８１は、第１の主要素信号（周波数ｆａ）および第２の主要素信号（周波数ｆｂ）を用いて、変調された第１の光信号に対してさらに変調を施す。このことにより、光受信部１１０は、自乗検波動作によって、伝送されてきた光信号をそれぞれ差周波成分である周波数│ｆｘ−ｆａ│および│ｆｘ−ｆｂ│の電気信号に変換して、出力する。図２は、これらの信号の周波数スペクトルを例示した図である。
【０１０３】
同様に、第２の光信号に搬送された第１および第２の副要素信号も、光受信部１１０において、それぞれ周波数│ｆｘ−ｆａ│および│ｆｘ−ｆｂ│に変換されて、出力される。
【０１０４】
なお、以上においては、第１および第２の要素信号は、それぞれ第１および第２の光送信部１０３１および１０３２における変調周波数と、第１および第２の光変調部１０８１および１０８２における変調周波数との差周波成分（例えば、│ｆｘ−ｆａ│、または│ｆｘ−ｆｂ│等）に変換されて出力される場合について説明した。しかし、第１および第２の要素信号の周波数変換成分は、和周波（例えば、ｆｘ＋ｆａ、またはｆｘ＋ｆｂ）にも同時に発生している。したがって、この成分を抽出することによっても、全く同様の動作および効果を実現することが可能である。
【０１０５】
ここで、光受信部１１０から出力される第１または第２の主要素信号および副要素信号の各位相は、第１および第２の光送信部１０３１および１０３２に各々入力される主局発信号および副局発信号の位相と、第１および第２の光変調部１０８１および１０８２に各々入力される第１または第２の主要素信号および副要素信号の位相とによって決定される。
【０１０６】
例えば、第１の光送信部１０３１に入力される主局発信号の位相を０とし、第１の光変調部１０８１に入力される第１の主要素信号の位相を０とする。そうすると、光受信部１１０から出力される（周波数変換された）第１の主要素信号の位相は０となる。また、第２の光送信部１０３２に入力される副局発信号の位相をτｘとし、第２の光変調部１０８２に入力される第１の副要素信号の位相をτａとする。そうすると、光受信部１１０から出力される第１の副要素信号の位相はτｘ−τａとなる。
【０１０７】
そこで、光受信部１１０から出力される第１の主要素信号および副要素信号が、互いに同相となるように、遅延制御部１０２における時間遅延τｘを調整する。このように調整すれば、本装置は、第１の要素信号を抽出することができる。または、光受信部１１０から出力される第２の主要素信号および副要素信号が、互いに同相となるように、遅延制御部１０２における時間遅延τｘを調整する。このように調整すれば、本装置は、第２の要素信号を抽出することができる。
【０１０８】
もちろん、以上のように上記の信号間の位相が同相になるように調整する場合、同相の信号同士は強め合うとしても、同相でない信号同士が必ずしも消滅するわけではない。しかし、少なくとも光受信部１１０から出力される第１および第２の要素信号の信号レベルには差が生じるので、本装置は、大きなレベルを有する信号の方を容易に抽出することができる。
【０１０９】
次に、第１および第２の要素信号（主要素信号および副要素信号の双方を含む）の周波数配置について、図２を参照しながら説明する。一般に、複数の信号を多重伝送する場合には、伝送後の各信号の抽出と、干渉による品質劣化を防ぐため、それぞれの占有周波数帯域が互いに重ならないように設定される。例えば、図２（ａ）に示されるように、第１および第２の要素信号の各占有周波数帯域は、互いに一致しないように設定される。図２（ａ）において、第１の要素信号の周波数ｆａと第２の要素信号の周波数ｆｂとは、一致しない。
【０１１０】
これに対して、本装置においては、上述した図２（ａ）の場合はもちろん、図２（ｂ）に示されように、第１および第２の要素信号の占有周波数帯を互いに一致させ、あるいはその一部を重複させることが可能である。即ち、上述したように、信号の位相領域の相関性を利用して、複数の要素信号から所定の要素信号の抽出を行う動作により、たとえ、第１および第２の要素信号の周波数が一致する場合（ｆａ＝ｆｂ）においても、第１の主要素信号および副要素信号の間の位相差τａと、第２の主要素信号および副要素信号の間の位相差τｂとが異なる限り、時間遅延τｘを適当に調整して、どちらか一方を抽出することができる。
【０１１１】
また、以上の場合には、第１および第２の要素信号のいずれを選択する場合にも、光受信部１１０から出力される（周波数変換された）第１および第２の要素信号の占有周波数帯域は同一（│ｆｘ−ｆａ│＝│ｆｘ−ｆｂ│）となる。したがって、本装置の構成は、光受信部１１０の後段に接続される図示されていない信号処理装置等の構成を簡単化することができ、また、その要求性能を緩和することができる。
【０１１２】
さらに、本装置における局発信号の周波数ｆｘについて説明する。図２（ａ）に示すように、局発信号の周波数ｆｘは、第１および第２の要素信号のいずれにも一致しないように設定される。そして、局発信号によって、それぞれの要素信号は、周波数│ｆｘ−ｆａ│および│ｆｘ−ｆｂ│の信号に変換されて抽出される。
【０１１３】
ここで、図３に示すように、局発信号の周波数ｆｘを、第１および第２の要素信号の周波数の２倍（ｆｘ＝２ｆａ＝２ｆｂ）になるように設定することにより、光受信部１１０から出力される（周波数変換された）第１および第２の要素信号の各周波数を、周波数変換前と同一（│ｆｘ−ｆａ│＝│ｆｘ−ｆｂ│＝ｆａ＝ｆｂ）にすることができる。したがって、このような構成によれば、光受信部１１０の後段に接続される図示されない信号処理装置等の構成をさらに簡単化することができ、また、システム全体の整合性を高めることができる。
【０１１４】
次に、本構成において取り扱われる、変調形式について説明する。第１および第２の要素信号については、ＡＭや、ＱＰＳＫ等いかなる変調形式をも用いることができる。もっとも、変調形式として角度変調、すなわち周波数変調（ＦＭ）または位相変調（ＰＭ）を採用した場合には、ＦＭ信号等に特有の不要信号成分に対する閾値現象を利用することができる。したがって、本装置は、抽出すべき要素信号に対するもう一方の不要な要素信号の妨害や干渉を抑圧することができる。
【０１１５】
また、変調形式として振幅シフトキーイング（ＡＳＫ：Ａｍｐｌｉｔｕｄｅ  Ｓｈｉｆｔ  Ｋｅｙｉｎｇ）変調を採用した場合には、第１または第２の要素信号のベースバンド情報（ＤａまたはＤｂ）を簡易な構成によって抽出することができる。
【０１１６】
すなわち、局発信号について、時間遅延τｘを適当に調整すると共に、図４に示すように、周波数ｆｘを、第１または第２の要素信号の周波数（ｆａまたはｆｂ）のいずれかに一致するように設定する。そうすれば、局発信号と第１または第２の要素信号との周波数差はなくなるので、これらの信号を自乗検波すればベースバンド信号が生じることになる。このことにより、本装置は、光受信部１１０から、ＡＳＫ変調信号（第１または第２の要素信号）の元信号であるベースバンド情報を取り出すことができる。
【０１１７】
また、図２（ｂ）に示されるような第１および第２の要素信号の周波数が互いに一致する場合（ｆａ＝ｆｂ）には、局発信号の周波数ｆｘも、第１の要素信号の周波数ｆａ（または第２の要素信号の周波数ｆｂ）に予め一致させる。そして、時間遅延τｘのみを調整すれば、第１または第２の要素信号のベースバンド情報（ＤａまたはＤｂ）を簡易な構成によって抽出することができる。
【０１１８】
以上説明したように、第１の実施形態に係る多重伝送装置によれば、互いに異なる位相の要素信号を複数含む信号群をそれぞれ光信号に変換し、合波した光信号を伝送後、電気信号に再変換する構成において、各光信号を、所定の位相差を有する同一の局発信号で予め変調することにより、光受信器を１つのみ使用し、光源を合波部（アンテナ）近傍に設置しない構成により、装置の低コスト化を実現しながら、複数の要素信号（信号群）から、所望の要素信号のみを周波数変換して選択的に抽出することができる。
【０１１９】
また、要素信号の占有周波数帯域が互いに一致もしくは重複する場合においても、所望の要素信号のみを周波数変換して選択的に抽出し、あるいは、局発信号の周波数を適当に設定することにより、所望の要素信号の周波数を、周波数変換前と同一に維持しながら抽出し、システムの整合性を高めることができる。
【０１２０】
さらに、要素信号の変調形式として、ＦＭ変調を採用することにより、抽出すべき要素信号以外の要素信号による妨害や干渉を抑圧し、所望の要素信号を高品質に抽出することができる。また、ＡＳＫ変調を採用することにより、局発信号の周波数を、抽出すべき要素信号の周波数に一致させて、所望の要素信号を復調し、対応するベースバンド情報を直接抽出することができる。
【０１２１】
なお、以上では、２つの要素信号（第１および第２の主要素信号および副要素信号）が第１および第２の合波部１０７１および１０７２へ入力される場合について説明した。しかし、入力される要素信号の数は３つ以上であってもよい。そのような場合であっても、各主要素信号および対応する副要素信号の間の位相差がそれぞれ異なる限り、時間遅延τｘを適当に調整して、任意の要素信号を抽出することができる。
【０１２２】
また、第１および第２の合波部１０７１および１０７２を含む合波部（アンテナエレメント）の数は３つ以上であってもよい。すなわち、本装置は、１つ以上の遅延制御部と、光送信部と、合波部と、光変調部とをさらに備えてもよい。以下、これらの本装置にさらに追加される構成部の動作を説明する。
【０１２３】
まず、追加される遅延制御部は、信号源１０１から出力される電気信号の位相を遅延制御部１０２とは異なるように遅延させる。追加される光送信部は、当該追加される遅延制御部から入力された電気信号を他とは異なる光波長を有する第３の光信号に変換して第１の光合波部１０４へ出力する。追加される合波部は、他とは位相のみが異なる２つの信号を装置外部より入力されてそれらを合波する。追加される変調部は、当該追加される合波部からの電気信号に基づいて、光分波部１０６から分岐されて入力された第３の光信号を変調し、第２の光合波部１０９へ出力する。
【０１２４】
以上のように構成すれば、本装置は、各合波部に入力される位相のみが異なる各要素信号が光受信部１１０において互いに強め合うように、それぞれの時間遅延を適当に調整して、任意の要素信号をより高精度かつ高品質に抽出することができる。
【０１２５】
（第２の実施形態）
本発明の第２の実施形態に係る多重伝送装置について、図５にその構成を示すと共に、以下に説明する。図５において、本多重伝送装置は、逆拡散信号源５０１と、遅延制御部１０２と、第１および第２の光送信部１０３１および１０３２と、第１の光合波部１０４と、第１の光伝送路１０５１と、光分波部１０６と、第１および第２の合波部１０７１および１０７２と、第１および第２の光変調部１０８１および１０８２と、第２の光合波部１０９と、第２の光伝送路１０５２と、光受信部１１０とを備えている。
【０１２６】
図５の本多重伝送装置は、前述した図１の多重伝送装置に対して、信号源１０１に替えて逆拡散信号源５０１を備え、第１および第２の要素信号としてスペクトル拡散信号が入力される点が異なる。
【０１２７】
なお、図５において、Ｓａ＠［Ｃａ（Ｄａ）］ｆａ（０）、Ｓｂ＠［Ｃｂ（Ｄｂ）］ｆｂ（０）、Ｓａ［Ｃａ（Ｄａ）］＠ｆａ（τａ）、Ｓｂ［Ｃｂ（Ｄｂ）］＠ｆｂ（τｂ）と表記されている各信号は、前述した図１における各信号に準じて表記されている。ただし、これらの要素信号は、スペクトル拡散信号であって、［］内には対応する信号の拡散符号（ＣａないしＣｂ）および搬送されるデータ（ＤａないしＤｂ）が表されている。
【０１２８】
次に、図５に示す本装置の動作を説明する。本装置の構成は、前述の第１の実施形態に係る多重伝送装置に準ずるため、同一の動作を行う構成部については、同一の番号を付して、その説明を省略し、相違点のみを以下に説明する。
【０１２９】
本多重伝送装置は、第１および第２の要素信号として、スペクトル拡散信号を使用する。ここで、スペクトル拡散信号としては、一般的なＣＤＭＡ（ＣｏｄｅＤｉｖｉｓｉｏｎ  Ｍｕｌｔｉｐｌｅ  Ａｃｃｅｓｓ）信号等を想定する。また、第１の要素信号は、ベースバンド情報Ｄａを拡散符号Ｃａによりスペクトル拡散した信号Ｓａとし、第２の要素信号は、ベースバンド情報Ｄｂを拡散符号Ｃｂによりスペクトル拡散した信号Ｓｂとする。さらに、逆拡散信号源５０１は、所定の逆拡散符号Ｃｘによる所定の周波数ｆｘの変調信号を出力する。
【０１３０】
ただし、以下の説明においては、上述の拡散符号ＣａとＣｂとは等しいものとする。もちろん、特定のエリア内において、複数のスペクトル拡散信号の拡散符号は、一致しないように設定されるのが通常である。しかし、例えば、隣接する２つのエリアの境界付近では、双方のエリアから同一の拡散符号を有する２つのスペクトル拡散信号が同時に到来することは十分に考えられる。このような場合に、逆拡散信号源５０１における逆拡散符号Ｃｘを調整することによっては、同一の拡散符号を有する２つのスペクトル拡散符号を選択して復調することができない。
【０１３１】
そこで、所定の逆拡散符号Ｃｘを拡散符号Ｃａ（＝Ｃｂ）の逆拡散符号Ｃａ-1に設定し、かつ、遅延制御部１０２において、所定の時間遅延τｘを第１の主要素信号と副要素信号との間の位相差τａに一致させる。このことにより、本装置は、第１の要素信号をスペクトル逆拡散して、図６に示されるように、周波数│ｆｘ−ｆａ│において第１の要素信号のベースバンド情報Ｄａを光受信部１１０から出力する。
【０１３２】
同様に、所定の逆拡散符号Ｃｘを拡散符号Ｃｂ（＝Ｃａ）の逆拡散符号Ｃｂ-1に設定し、かつ、遅延制御部１０２において、所定の時間遅延τｘを第２の主要素信号と副要素信号との間の位相差τｂに一致させる。このことにより、本装置は、第２の要素信号をスペクトル逆拡散して、図６に示されるように、周波数│ｆｘ−ｆｂ│において第２の要素信号のベースバンド情報Ｄｂを光受信部１１０から出力する。
【０１３３】
また、図２（ｂ）において前述したように、第１および第２の要素信号の占有周波数帯域が互いに一致ないし重複する場合であっても、同様である。すなわち、たとえ、図６（ｂ）に示されるように第１および第２の要素信号の周波数が一致する場合（ｆａ＝ｆｂ）においても、第１の主要素信号および副要素信号の間の位相差τａと、第２の主要素信号および副要素信号の間の位相差τｂとが異なる限り、時間遅延τｘを適当に調整して、どちらか一方を抽出することができる。
【０１３４】
したがって、第１または第２の要素信号のいずれを選択する場合にも、光受信部１１０から出力される（周波数変換された）第１および第２の要素信号の周波数は一致する（│ｆｘ−ｆａ│＝│ｆｘ−ｆｂ│）。このことにより、光受信部１１０の後段に接続される図示されていない信号処理装置等の構成を簡単化することができ、またその要求性能を緩和することができる。
【０１３５】
なお、第１および第２の要素信号の周波数変換成分は、和周波（例えば、ｆｘ＋ｆａ、またはｆｘ＋ｆｂ）にも同時に発生しているので、この成分を抽出することによっても、全く同様の動作および効果を実現することが可能であることは前述したとおりである。
【０１３６】
また、拡散符号ＣａとＣｂとが等しくない場合には、遅延制御部１０２において、所定の時間遅延τｘをτａまたはτｂに一致させ、かつ、所定の逆拡散符号Ｃｘを拡散符号Ｃａの逆拡散符号Ｃａ-1または拡散符号Ｃｂの逆拡散符号Ｃｂ-1に設定する。このことにより、本装置は、第１または第２の要素信号をスペクトル逆拡散して、図６に示されるように、周波数│ｆｘ−ｆａ│または│ｆｘ−ｆｂ│において第１または第２の要素信号のベースバンド情報ＤａまたはＤｂを光受信部１１０から出力することができる。
【０１３７】
もちろん、このような場合には所定の時間遅延τｘをτａまたはτｂに正確に一致させなくとも、逆拡散符号の設定を変更することによって第１または第２の要素信号のベースバンド情報ＤａまたはＤｂを光受信部１１０から出力することができることがある。しかし、このような場合でも、時間遅延τｘを適切に調整すれば、不要な信号を抑圧して、その干渉を排除することができるので、復調が容易になる効果を得ることができる。
【０１３８】
次に、図３の場合と同様に、逆拡散信号の所定の周波数ｆｘについて、図７に示すように、第１および第２の要素信号の周波数の２倍（ｆｘ＝２ｆａ＝２ｆｂ）になるように設定する。このように設定すれば、光受信部１１０から出力される（周波数変換された）第１および第２の要素信号の周波数を、周波数変換前と同一（│ｆｘ−ｆａ│＝│ｆｘ−ｆｂ│＝ｆａ＝ｆｂ）にすることができる。したがって、このような構成によれば、光受信部１１０の後段に接続される図示されていない信号処理装置等の構成をさらに簡単化することができ、また、システムの整合性を高めることができる。
【０１３９】
以上説明したように、第２の実施形態に係る多重伝送装置によれば、互いに異なる位相の要素信号としてスペクトル拡散信号を含む信号群（スペクトル拡散信号群）をそれぞれ光信号に変換し、合波した光信号を伝送後、電気信号に再変換する構成において、各光信号を、所定の逆拡散符号に基づく所定の位相差を有する同一の変調信号で予め変調することにより、光受信器を１つのみ使用し、光源を合波部（アンテナ）近傍に設置しない構成により、装置の低コスト化を実現しながら、スペクトル拡散信号群から、所望のスペクトル拡散信号のみを逆拡散し、ベースバンド情報を選択的に抽出することができる。
【０１４０】
また、スペクトル拡散信号の占有周波数帯域が互いに一致もしくは重複する場合においても、所望のスペクトル拡散信号のみを逆拡散してベースバンド情報を選択的に抽出し、あるいは、逆拡散信号の周波数を適当に設定することにより、所望のスペクトル拡散信号の周波数を、周波数変換前と同一に維持しながら抽出して、システムの整合性を高めることができる。
【０１４１】
なお、第１および第２の合波部１０７１および１０７２へ入力される要素信号の数は３つ以上であってもよく、また、第１および第２の合波部１０７１および１０７２を含む合波部（アンテナエレメント）の数は３つ以上であってもよいことは前述したとおりである。
【０１４２】
（第３の実施形態）
本発明の第３の実施形態に係る多重伝送装置について、図８にその構成を示すと共に、以下に説明する。図８において、本多重伝送装置は、第１および第２の信号源８０１１および８０１２と、第１および第２の遅延制御部８０２１および８０２２と、第３および第４の合波部８０３１および８０３２と、第１および第２の光送信部１０３１および１０３２と、第１の光合波部１０４と、第１の光伝送路１０５１と、光分波部１０６と、第１および第２の合波部１０７１および１０７２と、第１および第２の光変調部１０８１および１０８２と、第２の光合波部１０９と、第２の光伝送路１０５２と、光受信部１１０と、透過部８０４とを備えている。
【０１４３】
図８の本多重伝送装置は、前述した図１の多重伝送装置に対して、信号源および遅延制御部を複数組（図８中では２組）有し、第３および第４の合波部８０３１および８０３２と、透過部８０４とを新たに備える点が異なる。
【０１４４】
次に、図８に示される本多重伝送装置の動作を説明する。本装置の構成は、前述の第１の実施形態に係る多重伝送装置に準ずるため、同一の動作を行う構成部に関しては、同一の番号を付して、その説明を省略し、相違点のみを以下に説明する。
【０１４５】
本多重伝送装置において、第１の信号源８０１１は、周波数ｆｘの第１の局発信号（主局発信号）を出力し、対応して設けられた第１の遅延制御部８０２１は、所定の時間遅延τｘを付与して、第１の副局発信号として出力する。同様に、第２の信号源８０１２は、周波数ｆｙの第２の局発信号（主局発信号）を出力し、対応して設けられた第２の遅延制御部８０２２は、所定の時間遅延τｙを付与して、第２の副局発信号として出力する。
【０１４６】
第３の合波部８０３１は、第１および第２の信号源８０１１および８０１２から出力される第１および第２の主局発信号を合波し、第１の光送信部１０３１へ出力する。第４の合波部８０３２は、第１および第２の遅延制御部８０２１および８０２２から出力される第１および第２の副局発信号を合波し、第２の光送信部１０３２へ出力する。
【０１４７】
第１の光送信部１０３１は、第３の合波部８０３１から入力された局発信号群を第１の光信号に変換し、第２の光送信部１０３２は、第４の合波部８０３２から入力された副局発信号群を第２の光信号に変換して、それぞれ第１の光合波部１０４へ出力する。それらの光信号は、第１の光合波部１０４において合波され、第１および第２の光伝送路１０５１および１０５２等を介して光受信部１１０に入力され、電気信号に再変換されて、第１および第２の要素信号をそれぞれ周波数変換して得られる信号Ｓａ’およびＳｂ’として出力される。透過部８０４は、光受信部１１０から出力されるこれらの電気信号のうち、異なる所定の周波数成分のみをそれぞれ透過して、別々に出力する。
【０１４８】
以上のように、本多重伝送装置は、前述の第１の実施形態に係る多重伝送装置とは異なり、２つずつの局発信号および副局発信号を使用し、これらの周波数および位相角を制御することによって特有の効果を得ることができる。そこで、本実施形態における多重伝送装置の動作とその効果について、さらに詳しく説明する。
【０１４９】
まず、第１の光送信部１０３１は、第１の主局発信号（周波数ｆｘ）を用いて、第１の光信号に予め変調を施す。その後、第１の光変調部１０８１は、第１の主要素信号（周波数ｆａ）および第２の主要素信号（周波数ｆｂ）を用いて、変調された第１の光信号に対してさらに変調を施す。このことにより、光受信部１１０は、自乗検波動作によって、伝送されてきた光信号をそれぞれ差周波成分である周波数│ｆｘ−ｆａ│および│ｆｘ−ｆｂ│の電気信号に変換して、出力する。図９は、これらの信号の周波数スペクトルを例示した図である。
【０１５０】
同様に、第２の光信号に搬送された第１および第２の副要素信号も、光受信部１１０において、それぞれ周波数│ｆｘ−ｆａ│および│ｆｘ−ｆｂ│に変換されて、出力される。
【０１５１】
ここで、光受信部１１０から出力される周波数変換された第１の主要素信号および副要素信号の位相が互いに同相となるように、第１の遅延制御部８０２１において時間遅延τｘを調整する。このことにより、光受信部１１０において、（周波数変換された）第１の要素信号を抽出することができる。また、光受信部１１０から出力される周波数変換された第２の主要素信号および副要素信号が互いに同相となるように、第２の遅延制御部８０２２において時間遅延τｙを調整する。このことにより、光受信部１１０において、（周波数変換された）第２の要素信号を抽出することができる。
【０１５２】
即ち、本多重伝送装置は、信号源と遅延制御部を各々２つずつ備え、時間遅延τｘおよびτｙを独立に制御することによって、第１および第２の要素信号を同時に抽出することができる。例えば、透過部８０４は、周波数│ｆｘ−ｆａ│に変換された第１の要素信号と、周波数│ｆｙ−ｆｂ│に変換された第２の要素信号をそれぞれ透過して、別々に出力する。
【０１５３】
なお、第１および第２の要素信号の周波数変換成分は、和周波（例えば、ｆｘ＋ｆａ、またはｆｘ＋ｆｂ）にも同時に発生しているので、この成分を抽出することによっても、全く同様の動作および効果を実現することが可能であることは前述したとおりである。
【０１５４】
また、図２（ｂ）において前述したように、第１および第２の要素信号の占有周波数帯域が互いに一致ないし重複する場合には、本多重伝送装置においても格別の効果が認められる。すなわち、たとえ、図９（ｂ）に示されるように第１および第２の要素信号の周波数が一致する場合（ｆａ＝ｆｂ）においても、第１の主要素信号および副要素信号の間の位相差τａと、第２の主要素信号および副要素信号の間の位相差τｂとが異なる限り、時間遅延τｘを適当に調整して、どちらか一方を抽出することができる。さらに、本装置は、第１および第２の局発信号の周波数ｆｘおよびｆｙを異なるように設定することができるので、光受信部１１０から出力される（周波数変換された）第１および第２の要素信号の周波数が一致しないように調整することができる。したがって、本装置は、透過部８０４から両信号を同時に出力することができる。
【０１５５】
次に、本実施形態に係る多重伝送装置の別例として、第１および第２の信号源８０１１および８０１２に替えて第１および第２の逆拡散信号源を備え、第１および第２の要素信号としてスペクトル拡散信号を使用する構成がある。
【０１５６】
このような構成は、図１の多重伝送装置に対する図５の多重伝送装置の関係と同様であるので、図示しないが、以下にその動作を説明する。ここで、第１の要素信号は、ベースバンド情報Ｄａを拡散符号Ｃａによりスペクトル拡散した信号Ｓａとし、第２の要素信号は、ベースバンド情報Ｄｂを拡散符号Ｃｂによりスペクトル拡散した信号Ｓｂとする。また、第１の逆拡散信号源は、所定の逆拡散符号Ｃｘによる所定の周波数ｆｘの変調信号（第１の逆拡散信号）を出力し、第２の逆拡散信号源は、所定の逆拡散符号Ｃｙによる所定の周波数ｆｙの変調信号（第２の逆拡散信号）を出力する。
【０１５７】
ここで、図５の多重伝送装置の場合と同様に、拡散符号ＣａはＣｂに等しいとすると、第１の逆拡散信号に付与する所定の時間遅延τｘを第１の主要素信号と副要素信号の間の位相差τａに一致させ、第２の逆拡散信号に付与する所定の時間遅延τｙを第２の主要素信号と副要素信号の間の位相差τｂに一致させる。このことにより、第１の要素信号をスペクトル逆拡散して、周波数│ｆｘ−ｆａ│において第１の要素信号のベースバンド情報Ｄａを、第２の要素信号をスペクトル逆拡散して、周波数│ｆｙ−ｆｂ│において第２の要素信号のベースバンド情報Ｄｂを、それぞれ光受信部１１０から同時に出力することができる。図１０（ａ）は、以上のような各信号の周波数配置を説明するための模式図である。
【０１５８】
さらに、図５の多重伝送装置の場合と同様に、拡散符号ＣａとＣｂとは等しくないとすると、所定の時間遅延τｘをτａに一致させ、所定の時間遅延τｙをτｂに一致させ、かつ、所定の逆拡散符号Ｃｘを第１の要素信号の拡散符号Ｃａの逆拡散符号Ｃａ-1となるように設定し、所定の逆拡散符号Ｃｙを第２の要素信号の拡散符号Ｃｂの逆拡散符号Ｃｂ-1となるように設定する。このことにより、上述の場合と同様に第１の要素信号のベースバンド情報Ｄａおよび第２の要素信号のベースバンド情報Ｄｂを得ることができる。
【０１５９】
また、第１および第２の要素信号の周波数が互いに一致する場合においても、図１０（ｂ）に示すように、第１および第２の逆拡散信号の周波数ｆｘおよびｆｙが一致しないように設定することにより、光受信部１１０から出力される（スペクトル逆拡散された）第１および第２の要素信号（ベースバンド情報）の周波数を異なるように調整することができる。したがって、本装置は、透過部８０４から両信号を同時に出力することができる。
【０１６０】
以上説明したように、第３の実施形態に係る多重伝送装置によれば、互いに異なる位相の要素信号を複数含む信号群をそれぞれ光信号に変換し、合波した光信号を伝送後、電気信号に再変換する構成において、互いに所定の位相差の要素局発信号を複数含む局発信号群で予め変調することにより、光受信器を１つのみ使用し、光源を合波部（アンテナ）近傍に設置しない構成により、装置の低コスト化を実現しながら、信号群から、複数の所望の要素信号を周波数変換して同時に抽出することができる。
【０１６１】
また、要素信号の占有周波数帯域が互いに一致もしくは重複する場合においても、局発信号の周波数を適当に設定することにより、複数の所望の要素信号を、それぞれ異なる周波数に変換して、同時に抽出することができる。
【０１６２】
さらに、要素信号として、スペクトル拡散信号を使用し、局発信号群に替えて、所定の逆拡散符号に基づく変調信号群で予め変調することにより、スペクトル拡散信号群から、所望のスペクトル拡散信号のみを逆拡散し、ベースバンド情報を選択的に抽出することができる。
【０１６３】
なお、第１および第２の合波部１０７１および１０７２へ入力される要素信号の数（以下、自然数Ｍとする）は３つ以上であってもよいことは前述したとおりである。
【０１６４】
また、第３または第４の合波部８０３１または８０３２へ入力される局発信号の数（以下、自然数Ｎとする）は３つ以上であってもよい。すなわち、本装置は、他とは異なる周波数の局発信号を生成して第３の合波部８０３１へ出力する１つ以上の信号源と、当該信号源から出力される局発信号の位相を他とは異なるように遅延させて第４の合波部８０３２へ出力する１つ以上の遅延制御部とをさらに備えてもよい。このような場合に、本装置は、信号源および遅延制御部の数ＮとＭとの関係がＮ＜Ｍであれば、全Ｍ個の要素信号の内、Ｎ個のみを同時に抽出することが可能となり、また、Ｎ＝Ｍであれば、全ての要素信号を同時に抽出することが可能となる。
【０１６５】
また、第１および第２の合波部１０７１および１０７２を含む合波部（アンテナエレメント）の数（以下、自然数Ｐとする）は３つ以上であってもよい。すなわち、本装置は、１つ以上の遅延制御部と、局発側の合波部と、光送信部と、アンテナエレメントに対応する合波部と、光変調部とをさらに備えてもよい。以下、これらの本装置にさらに追加される構成部の動作を説明する。
【０１６６】
まず、追加される遅延制御部は、対応する第１または第２の信号源８０１１または８０１２から出力される電気信号の位相を第１または第２の遅延制御部８０２１または８０２２とは異なるように遅延させる。また、追加される局発側の合波部は、追加される当該それぞれの遅延制御部から入力された信号を合波する。追加される光送信部は、当該追加される合波部から入力された電気信号を他とは異なる光波長を有する光信号に変換して第１の光合波部１０４へ出力する。追加されるアンテナエレメントに対応する合波部は、他とは位相のみが異なる２つの信号を装置外部より入力されてそれらを合波する。追加される光変調部は、当該追加される合波部からの電気信号に基づいて、光分波部１０６から分岐されて入力された光信号を変調し、第２の光合波部１０９へ出力する。
【０１６７】
以上のように構成すれば、本装置は、各合波部に入力される位相のみが異なる各要素信号が光受信部１１０において互いに強め合うように、それぞれの時間遅延を適当に調整して、各要素信号をより高精度かつ高品質に、同時に抽出することができる。
【０１６８】
なお、上記のＮおよびＰが双方とも３以上であってよいことは言うまでもない。また、各信号源がそれぞれ逆拡散信号源であってもよいことは前述したとおりである。
【０１６９】
（第４の実施形態）
本発明の第４の実施形態に係る多重伝送装置について、図１１にその構成を示すと共に、以下に説明する。図１１において、本多重伝送装置は、信号源１０１と、遅延制御部１０２と、第１および第２の光送信部１０３１および１０３２と、第１の光合波部１０４と、第１の光合分波部１１０５と、光伝送路１０５１と、第２の光合分波部１１０６と、第１および第２の合波部１０７１および１０７２と、第３および第４の光変調部１１０８１および１１０８２と、光受信部１１０とを備えている。
【０１７０】
本装置は、図１の装置に対して、光分波部１０６に替えて第２の光合分波部１１０６を備える。また、本装置は、第１および第２の光変調部１０８１および１０８２に替えて第３および第４の光変調部１１０８１および１１０８２を備える。さらに、本装置は、第１の光合分波部１１０５を新たに備え、第２の光合波部１０９および第２の光伝送路１０５２が省略され、光受信部１１０等の接続関係が変更された点が異なる。なお、図１１の光伝送路１０５１は、図１の第１の光伝送路１０５１と同じである。
【０１７１】
次に、図１１に示す本多重伝送装置の動作を説明する。本装置の構成は、前述の第１の実施形態に係る多重伝送装置に準ずるため、同一の動作を行う構成部に関しては、同一の番号を付して、その説明を省略し、相違点のみを以下に説明する。
【０１７２】
第３および第４の光変調部１１０８１および１１０８２は、それぞれ第１および第２の合波部１０７１および１０７２から出力される信号群を用いて、第２の光合分波部１１０６から出力される第１および第２の光信号をそれぞれ変調する。その後、第３および第４の光変調部１１０８１および１１０８２は、変調された光信号を変調前の光信号が入力された方向に向かって反射し、第２の光合分波部１１０６へ入力する。したがって、光伝送路１０５１において、第１の光合分波部１１０５から第２の光合分波部１１０６へ伝送される第１および第２の光信号と、第２の光合分波部１１０６から第１の光合分波部１１０５へ伝送される変調された第１および第２の光信号とが互いに逆方向かつ同時に通過することになる。
【０１７３】
第２の光合分波部１１０６は、第３および第４の光変調部１１０８１および１１０８２によって変調された後に反射されてくる第１および第２の光信号を合波し、光伝送路１０５１へと送出する。
【０１７４】
第１の光合分波部１１０５は、３つの端子を有しており、第１の端子に接続された光合波部１０４から出力される光信号を、第２の端子に接続される光伝送路１０５１へ送出する。さらに、第１の光合分波部１１０５は、第２の端子に接続される光伝送路１０５１を介して第２の光合分波部１１０６から入力する光信号を、第３の端子に接続された光受信部１１０へ出力する。
【０１７５】
以上説明したように、第４の実施形態に係る多重伝送装置によれば、互いに異なる位相の要素信号を複数含む信号群をそれぞれ光信号に変換し、合波した光信号を伝送後、電気信号に再変換する構成において、往復する光信号の伝送路として１つの光ファイバを共用することにより、装置の低コスト化を実現しながら、信号群から、所望の要素信号のみを周波数変換して選択的に抽出することができる。
【０１７６】
なお、本実施形態に係る多重伝送装置は、図５の多重伝送装置と同様に、信号源１０１に替えて逆拡散信号源を備え、要素信号としてスペクトル拡散信号を使用する構成も考えられる。また、本装置は、図８の多重伝送装置と同様に、複数の信号源（または逆拡散信号源）および遅延制御部を備える構成も考えられる。さらに、上述のＭとＮとＰのいずれか１つまたは２つ、ないしそれら全てが３以上である構成も考えられる。しかし、これらの構成および動作については、前述したとおりであるので説明は省略する。
【０１７７】
（第５の実施形態）
本発明の第５の実施形態に係る多重伝送装置について、図１２にその構成を示すと共に、以下に説明する。図１２において、本実施形態の多重伝送装置は、第１および第２の合波部１２０７１および１２０７２と、第１および第２の光送信部１２０８１および１２０８２と、第１の光合波部１２０６と、光伝送路１２０５と、光分波部１２０４と、信号源１２０１と、遅延制御部１２０２と、第１および第２の光変調部１２０３１および１２０３２と、第２の光合波部１２０９と、光受信部１２１０とを備えている。
【０１７８】
図１２における本多重伝送装置は、図１の多重伝送装置に対して、第１および第２の光送信部と、第１および第２の光変調部の位置関係を入れ替えた場合にほぼ相当する構成である。すなわち、本装置の構成をフェイズドアレイ型アンテナの受信システムに適用した場合において、本装置は、アレイアンテナエレメント側に光源である第１および第２の光送信部１２０８１および１２０８２が設けられる点が、図１の構成とは異なる。
【０１７９】
次に、図１２に示される本装置の動作を説明する。第１の合波部１２０７１は、周波数ｆａの第１の主要素信号Ｓａと、周波数ｆｂの第２の主要素信号Ｓｂとを合波して出力する。第２の合波部１２０７２は、第１の合波部１２０７１に入力される第１および第２の主要素信号に対して、それぞれ位相差（遅延時間差）τａおよびτｂを有する第１および第２の副要素信号を合波して出力する。
【０１８０】
第１の光送信部１２０８１は、第１の合波部１２０７１から出力される信号群を、波長λ１の第１の光信号に変換して出力する。同様に、第２の光送信部１２０８２は、第２の合波部１２０７２から出力される信号群を、波長λ２の第２の光信号に変換して出力する。
【０１８１】
第１の光合波部１２０６は、第１および第２の光送信部１２０８１および１２０８２から出力される第１および第２の光信号を合波し、光伝送路１２０５へ送出する。光分波部１２０４は、光伝送路１２０５を介して伝送される光信号を所定の波長毎に分離し、波長λ１の第１の光信号と、波長λ２の第２の光信号とを、それぞれ出力する。
【０１８２】
信号源１２０１は、所定の周波数ｆｘの局発信号を出力する。遅延制御部１２０２は、信号源１２０１から出力される局発信号（主局発信号）に対して、所定の時間遅延τｘを付与して、副局発信号として出力する。
【０１８３】
第１光変調部１２０３１は、信号源１２０１から出力される主局発信号によって、光分波部１２０４から出力される第１の光信号を変調して出力する。同様に、第２の光変調部１２０３２は、遅延制御部１２０２から出力される副局発信号によって、光分波部１２０４から出力される第２の光信号を変調して出力する。
【０１８４】
第２の光合波部１２０９は、第１および第２の光変調部１２０３１および１２０３２から出力される第１および第２の光信号を合波して出力する。光受信部１２１０は、自乗検波特性を有し、第２の光合波部１２０９から出力される光信号を電気信号に再変換し、第１または第２の要素信号をそれぞれ周波数変換して得られる信号Ｓａ’またはＳｂ’を出力する。
【０１８５】
次に、本多重伝送装置の動作とその効果について、さらに詳しく説明する。上述のように、本装置は、第１の実施形態に係る図１の多重伝送装置に対して、第１および第２の光送信部と、第１および第２の光変調部の設置位置を入れ替えた構成に相当し、その効果はほぼ同様である。
【０１８６】
即ち、図１の多重伝送装置の構成においては、まず、信号源および遅延制御部から出力された局発信号を、第１および第２の光送信部により、第１および第２の光信号に変換して送出する。その後、図１の装置は、第１および第２の合波部から出力された信号群を用いて、それぞれ第１および第２の光変調部により再変調し、この光信号を自乗検波する構成であった。
【０１８７】
これに対して、本多重伝送装置では、まず、第１および第２の合波部１２０７１および１２０７２から出力される信号群を、第１および第２の光信号に変換して送出する。その後、本装置は、信号源１２０１および遅延制御部１２０２から出力される局発信号を用いて、それぞれ第１および第２の光変調部１２０３１および１２０３２により再変調し、この光信号を自乗検波する構成である。
【０１８８】
従って、例えば、第１の光信号に着目すると、本装置は、第１の合波部１２０７１から出力される信号群による変調の後に、信号源１２０１からの局発信号による変調が行われるが、図１の装置は、その変調手順が、相前後して入れ替わるのみである。そのことから、両装置において、結果として得られる（光受信部に入力される）光信号には、差異はなく、前述した図２等のように配置される。
【０１８９】
さらに詳細に説明すると、第１の光送信部１２０８１において、第１の光信号に変換される第１の主要素信号（周波数ｆａ）および第２の主要素信号（周波数ｆｂ）は、第１の光変調部１２０３１において主局発信号（周波数ｆｘ）によって第１の光信号に再変調を施される。このことにより、これらの信号は、光受信部１２１０において、その自乗検波動作によって、それぞれ周波数│ｆｘ−ｆａ│および│ｆｘ−ｆｂ│に変換されて出力される。同様に、第２の光信号に変換される第１および第２の副要素信号も、光受信部１２１０において、それぞれ周波数│ｆｘ−ｆａ│および│ｆｘ−ｆｂ│に変換されて出力される。
【０１９０】
なお、和周波（例えば、ｆｘ＋ｆａ、またはｆｘ＋ｆｂ）の成分を抽出することによっても、全く同様の動作および効果を実現することが可能であることは前述したとおりである。
【０１９１】
ここで、光受信部１２１０から出力される第１（または第２）の主要素信号および第１（または第２）の副要素信号の各位相は、第１および第２の光送信部１２０８１および１２０８２に各々入力される第１（または第２）の主要素信号および第１（または第２）の副要素信号の位相と、第１および第２の光変調部１２０３１および１２０３２に各々入力される主局発信号および副局発信号の位相とによって決定される。
【０１９２】
そこで、光受信部１２１０から出力される第１の主要素信号と第１の副要素信号とが互いに同相となるように、遅延制御部１２０２において時間遅延τｘを調整する。このことにより、本装置は、第１の要素信号を抽出することができる。また、光受信部１２１０から出力される第２の主要素信号と第２の副要素信号とが、互いに同相となるように時間遅延τｘを調整する。このことにより、本装置は、第２の要素信号を抽出することができる。
【０１９３】
なお、本多重伝送装置において、第１および第２の信号の周波数ｆａおよびｆｂ、あるいは局発信号の周波数ｆｘの配置等は、前述の第１の実施形態に係る多重伝送装置の場合に準ずる。すなわち、局発信号の周波数ｆｘを、第１および第２の要素信号の周波数の２倍（ｆｘ＝２ｆａ＝２ｆｂ）になるように設定すれば、同様の効果を得ることができる。また、変調形式として周波数変調（ＦＭ）を採用する場合も同様である。さらに、変調形式としてＡＳＫ変調を採用した場合には、第１または第２の要素信号のベースバンド情報（ＤａまたはＤｂ）を簡易な構成によって抽出することができることも同様である。
【０１９４】
以上説明したように、第５の実施形態に係る多重伝送装置によれば、互いに異なる位相の要素信号を複数含む信号群をそれぞれ光信号に変換し、合波した光信号を伝送後、電気信号に再変換する構成において、各光信号を、所定の位相差を有する同一の局発信号で再変調することにより、光受信器を１つのみ使用する構成によって装置の低コスト化を実現しながら、信号群から、所望の要素信号のみを周波数変換して選択的に抽出することができる。
【０１９５】
なお、第１および第２の合波部１２０７１および１２０７２へ入力される要素信号の数は３つ以上であってもよいことは第１の実施形態において前述したとおりである。
【０１９６】
（第６の実施形態）
本発明の第６の実施形態に係る多重伝送装置について、図１３にその構成を示すと共に、以下に説明する。図１３において、本多重伝送装置は、第１および第２の合波部１２０７１および１２０７２と、第１および第２の光送信部１２０８１および１２０８２と、第１の光合波部１２０６と、光伝送路１２０５と、光分波部１２０４と、逆拡散信号源１３０１と、遅延制御部１２０２と、第１および第２の光変調部１２０３１および１２０３２と、第２の光合波部１２０９と、光受信部１２１０とを備えている。
【０１９７】
また、本装置は、図１２の装置構成に対して、信号源１２０１に替えて逆拡散信号源１３０１を備え、第１および第２の要素信号としてスペクトル拡散信号を使用する点が異なる。
【０１９８】
次に、図１３に示す本多重伝送装置の動作を説明する。本装置の構成は、前述した図１２に示される第５の実施形態に係る多重伝送装置に準ずるため、同一の動作を行うブロックに関しては、同一の番号を付して、その説明を省略し、相違点のみを以下に説明する。
【０１９９】
本多重伝送装置は、第１および第２の要素信号として、スペクトル拡散信号を使用する。即ち、第１の要素信号は、ベースバンド情報Ｄａを拡散符号Ｃａによってスペクトル拡散した信号Ｓａであるものとし、第２の要素信号は、ベースバンド情報Ｄｂを拡散符号Ｃｂによってスペクトル拡散した信号Ｓｂであるものとする。また、逆拡散信号源１３０１は、所定の逆拡散符号Ｃｘによる所定の周波数ｆｘの変調信号を出力する。
【０２００】
ここで、図５の多重伝送装置の場合と同様に、拡散符号ＣａはＣｂに等しいとすると、所定の逆拡散符号Ｃｘを拡散符号Ｃａ（＝Ｃｂ）の逆拡散符号Ｃａ-1に設定し、かつ、遅延制御部１２０２において、所定の時間遅延τｘを第１の主要素信号と副要素信号との間の位相差τａに一致させる。このことにより、本装置は、周波数│ｆｘ−ｆａ│において第１の要素信号のベースバンド情報Ｄａを光受信部１２１０から出力する。
【０２０１】
同様に、所定の逆拡散符号Ｃｘを拡散符号Ｃｂ（＝Ｃａ）の逆拡散符号Ｃｂ-1に設定し、かつ、遅延制御部１２０２において、所定の時間遅延τｘを第２の主要素信号と副要素信号との間の位相差τｂに一致させる。このことにより、本装置は、周波数│ｆｘ−ｆｂ│において第２の要素信号のベースバンド情報Ｄｂを光受信部１１０から出力する。
【０２０２】
また、拡散符号ＣａとＣｂとが等しくない場合には、遅延制御部１２０２において、所定の時間遅延τｘをτａまたはτｂに一致させ、かつ、所定の逆拡散符号Ｃｘを拡散符号Ｃａの逆拡散符号Ｃａ-1または拡散符号Ｃｂの逆拡散符号Ｃｂ-1に設定する。このことにより、本装置は、周波数│ｆｘ−ｆａ│または│ｆｘ−ｆｂ│において第１または第２の要素信号のベースバンド情報ＤａまたはＤｂを光受信部１１０から出力することができる。
【０２０３】
なお、和周波（例えば、ｆｘ＋ｆａ、またはｆｘ＋ｆｂ）の成分を抽出することによっても、全く同様の動作および効果を実現することが可能であることは前述したとおりである。
【０２０４】
以上説明したように、第６の実施形態に係る多重伝送装置によれば、互いに異なる位相の要素信号としてスペクトル拡散信号を複数含むスペクトル拡散信号群をそれぞれ光信号に変換し、合波した光信号を伝送後、電気信号に再変換する構成において、各光信号を、所定の逆拡散符号に基づく所定の位相差を有する同一の変調信号で再変調することにより、光受信器を１つのみ使用する構成により、装置の低コスト化を実現しながら、スペクトル拡散信号群から、所望のスペクトル拡散信号のみを逆拡散し、ベースバンド情報を選択的に抽出することができる。
【０２０５】
なお、第１および第２の合波部１２０７１および１２０７２へ入力される要素信号の数は３つ以上であってもよいことは第１の実施形態において前述したとおりである。
【０２０６】
（第７の実施形態）
本発明の第７の実施形態に係る多重伝送装置について、図１４にその構成を示すと共に、以下に説明する。図１４において、本多重伝送装置は、第１および第２の合波部１２０７１および１２０７２と、第１および第２の光送信部１２０８１および１２０８２と、第１の光合波部１２０６と、光伝送路１２０５と、光分波部１２０４と、第１および第２の信号源１４０１１および１４０１２と、第１および第２の遅延制御部１４０２１および１４０２２と、第３および第４の合波部１４０３１および１４０３２と、第１および第２の光変調部１２０３１および１２０３２と、第２の光合波部１２０９と、光受信部１２１０と、透過部１４０４とを備えている。
【０２０７】
本装置は、図１２の装置に対して、信号源、遅延制御部を複数組（図１４中では２組）有し、第３および第４の合波部１４０３１および１４０３２と、透過部１４０４とを新たに備える点が異なる。
【０２０８】
次に、図１４に示される本装置の動作を説明する。本多重伝送装置の構成は、前述した図１２における第５の実施形態に係る多重伝送装置に準ずるため、同一の動作を行うブロックに関しては、同一の番号を付して、その説明を省略し、相違点のみを以下に説明する。
【０２０９】
本装置において、第１の信号源１４０１１は、周波数ｆｘの第１の局発信号（主局発信号）を出力し、対応して設けられた第１の遅延制御部１４０２１は、所定の時間遅延τｘを付与して、第１の副局発信号として出力する。
【０２１０】
同様に、第２の信号源１４０１２は、周波数ｆｙの第２の局発信号（主局発信号）を出力し、対応して設けられた第２の遅延制御部１４０２２は、所定の時間遅延τｙを付与して、第２の副局発信号として出力する。
【０２１１】
第３の合波部１４０３１は、第１および第２の信号源１４０１１および１４０１２から出力される第１および第２の主局発信号を合波して、第１の光変調部１２０３１へ出力する。また、第４の合波部１４０３２は、第１および第２の遅延制御部１４０２１および１４０２２から出力される第１および第２の副局発信号を合波して、第２の光変調部１２０３２へ出力する。
【０２１２】
第１および第２の光変調部１２０３１および１２０３２によって再変調された第１および第２の光信号は、合波されて、光受信部１２１０に入力される。光受信部１２１０は、入力された光信号を電気信号に再変換し、第１および第２の要素信号をそれぞれ周波数変換して得られる信号Ｓａ’およびＳｂ’を出力する。透過部１４０４は、光受信部１２１０から出力される電気信号について、所定の周波数成分のみを透過し、出力する。
【０２１３】
次に、本多重伝送装置の動作とその効果について、さらに詳しく説明する。第１の光送信部１２０８１において、第１の光信号に変換される第１の主要素信号（周波数ｆａ）および第２の主要素信号（周波数ｆｂ）は、第１の光変調部１２０３１において、第１の主局発信号（周波数ｆｘ）によって第１の光信号に再変調を施され、さらに、光受信部１２１０の自乗検波動作によって、それぞれ周波数│ｆｘ−ｆａ│および│ｆｘ−ｆｂ│に変換される。同様に、第２の光信号に変換される第１および第２の副要素信号も、光受信部１２１０において、それぞれ周波数│ｆｙ−ｆａ│および│ｆｙ−ｆｂ│に変換される。
【０２１４】
ここで、光受信部１２１０から出力される第１の主要素信号および副要素信号が互いに同相となるように、第１の遅延制御部１４０２１は、時間遅延τｘを調整する。このことにより、（周波数変換された）第１の要素信号を抽出することができる。同様に、光受信部１２１０から出力される第２の主要素信号および副要素信号が互いに同相となるように、第２の遅延制御部１４０２２は、時間遅延τｙを調整する。このことにより、（周波数変換された）第２の要素信号を抽出することができる。
【０２１５】
即ち、本多重伝送装置では、信号源および遅延制御部を各２つずつ備え、時間遅延τｘ、τｙを独立に制御することによって、第１および第２の要素信号を同時に抽出することができる。そこで例えば、透過部１４０４は、周波数│ｆｘ−ｆａ│に変換された第１の要素信号と、周波数│ｆｙ−ｆｂ│に変換された第２の要素信号をそれぞれ透過し、出力する。
【０２１６】
また、第３の実施形態に係る多重伝送装置において前述したように、本多重伝送装置は、第１および第２の信号源１４０１１および１４０１２に替えて第１および第２の逆拡散信号源を備え、第１および第２の要素信号としてスペクトル拡散信号を使用する構成であってもよい。
【０２１７】
以上説明したように、第７の発明によれば、互いに異なる位相の要素信号を複数含む信号群をそれぞれ光信号に変換し、合波した光信号を伝送後、電気信号に再変換する構成において、各光信号を、互いに所定の位相差の要素局発信号を複数含む局発信号群で再変調することにより、光受信器を１つのみ使用する構成により、装置の低コスト化を実現しながら、信号群から、複数の所望の要素信号を周波数変換して同時に抽出することができる。
【０２１８】
なお、第１および第２の合波部１２０７１および１２０７２へ入力される要素信号の数Ｍは３つ以上であってもよいことは前述したとおりである。また、第３または第４の合波部１４０３１または１４０３２へ入力される局発信号の数Ｎは３つ以上であってもよい。さらに、第１および第２の合波部１２０７１および１２０７２を含む合波部（アンテナエレメント）の数Ｐは３つ以上であってもよい。もちろん、ＭとＮとＰのいずれか１つまたは２つ、ないしそれら全てが３以上であってもよい。また、それぞれの信号源が逆拡散信号源であってもよいことは前述したとおりである。
【図面の簡単な説明】
【図１】本発明の第１の実施形態に係る多重伝送装置の構成を示すブロック図である。
【図２】本発明の第１の実施形態に係る伝送信号の周波数配置を説明するための模式図である。
【図３】本発明の第１の実施形態に係る局発信号の周波数配置を説明するための模式図である。
【図４】本発明の第１の実施形態に係る伝送信号の変調形式に依存した局発信号の周波数配置を説明するための模式図である。
【図５】本発明の第２の実施形態に係る多重伝送装置の構成を示すブロック図である。
【図６】本発明の第２の実施形態に係る伝送信号の周波数配置を説明するための模式図である。
【図７】本発明の第２の実施形態に係る逆拡散信号の周波数配置を説明するための模式図である。
【図８】本発明の第３の実施形態に係る多重伝送装置の構成を示すブロック図である。
【図９】本発明の第３の実施形態に係る伝送信号の周波数配置を説明するための模式図である。
【図１０】本発明の第３の実施形態に係る伝送信号の周波数に依存した逆拡散信号の周波数配置を説明するための模式図である。
【図１１】本発明の第４の実施形態に係る多重伝送装置の構成を示すブロック図である。
【図１２】本発明の第５の実施形態に係る多重伝送装置の構成を示すブロック図である。
【図１３】本発明の第６の実施形態に係る多重伝送装置の構成を示すブロック図である。
【図１４】本発明の第７の実施形態に係る多重伝送装置の構成を示すブロック図である。
【図１５】従来の多重伝送装置の構成を示すブロック図である。
【図１６】従来の多重伝送装置の基本動作原理を説明するための模式図である。
【符号の説明】
１０１  信号源
１０２  遅延制御部
１０３１  第１の光送信部
１０３２  第２の光送信部
１０４  光合波部
１０５１  第１の光伝送路
１０６  光分波部
１０７１  第１の合波部
１０７２  第２の合波部
１０８１  第１の光変調部
１０８２  第２の光変調部
１０９  第２の光合波部
１０５２  第２の光伝送路
１１０  光受信部
５０１  逆拡散信号源
８０１１  第１の信号源
８０１２  第２の信号源
８０２１  第１の遅延制御部
８０２２  第２の遅延制御部
８０３１  第３の合波部
８０３２  第４の合波部
８０４  透過部
１１０５  第１の光合分波部
１１０６  第２の光合分波部
１１０８１  第１の光変調部
１１０８２  第２の光変調部
１２０７１  第１の合波部
１２０７２  第２の合波部
１２０８１  第１の光送信部
１２０８２  第２の光送信部
１２０６  第１の光合波部
１２０５  光伝送路
１２０４  光分波部
１２０３１  第１の光変調部
１２０３２  第２の光変調部
１２０２    遅延制御部
１２０１  信号源
１２０９  第２の光合波部
１２１０  光受信部
１３０１  逆拡散信号源
１４０１１  第１の信号源
１４０１２  第２の信号源
１４０２１  第１の遅延制御部
１４０２２  第２の遅延制御部
１４０３１  第３の合波部
１４０３２  第４の合波部
１４０４  透過部
【図１】
0004210022.tif 000002
【図２】
0004210022.tif 000003
【図３】
0004210022.tif 000004
【図４】
0004210022.tif 000005
【図５】
0004210022.tif 000006
【図６】
0004210022.tif 000007
【図７】
0004210022.tif 000008
【図８】
0004210022.tif 000009
【図９】
0004210022.tif 000010
【図１０】
0004210022.tif 000011
【図１１】
0004210022.tif 000012
【図１２】
0004210022.tif 000013
【図１３】
0004210022.tif 000014
【図１４】
0004210022.tif 000015
【図１５】
0004210022.tif 000016
【図１６】
0004210022.tif 000017